(57)【特許請求の範囲】
【請求項１】
原稿画像に基づきフレキソ印刷版を製版する製版部と、
前記フレキソ印刷版を用いて被印刷媒体に前記原稿画像を印刷する印刷部と、
前記原稿画像から、画像特性評価用の評価画像で評価される項目の少なくとも一つの項目を評価可能な評価領域を検出する評価領域検出部と、
前記印刷部により前記被印刷媒体に印刷された前記原稿画像を読み取り、前記評価領域検出部により検出された前記評価領域から前記原稿画像の特性を測定して第１特性データを得る測定部と、
前記評価画像の特性を予め測定して得られた第２特性データと、前記第２特性データの測定元の前記評価画像を印刷する際の前記フレキソ印刷版の製版条件及び印刷条件との対応関係を示すフレキソ印刷特性モデルを記憶した記憶部と、
前記第１特性データの目標値を設定する目標値設定部と、
前記目標値設定部にて設定した前記第１特性データの目標値に基づき、前記記憶部に記憶されている前記フレキソ印刷特性モデルを参照して、前記目標値に対応する前記製版条件及び前記印刷条件を決定する条件決定部と、
前記測定部から、前記条件決定部にて決定された前記製版条件及び前記印刷条件に基づいた前記製版部の製版及び前記印刷部の印刷を経て得られた前記原稿画像の前記第１特性データを取得する特性データ取得部と、
前記特性データ取得部にて取得された前記第１特性データと、前記目標値との比較結果に基づき、前記製版条件及び前記印刷条件の少なくとも一方の条件を修正するか否かを決定する修正決定部と、
を備える印刷システム。
【請求項２】
前記目標値設定部は、予め定められた前記項目に対応する前記第１特性データの前記目標値を設定し、
前記修正決定部は、前記特性データ取得部が複数種類の前記原稿画像からそれぞれ取得した前記第１特性データを記憶する第１特性データ記憶部を有し、前記目標値設定部にて設定された前記目標値の全てに対応する前記第１特性データが前記第１特性データ記憶部に記憶された場合、当該第１特性データ記憶部内の前記第１特性データと、前記目標値との比較結果に基づき、前記製版条件及び前記印刷条件の少なくとも一方の条件を修正するか否かを決定する請求項１に記載の印刷システム。
【請求項３】
前記修正決定部は、前記第１特性データ記憶部内に同一の前記項目に対応する前記第１特性データが複数記憶された場合、複数の当該第１特性データの平均値、または時間的に新しい当該第１特性データの重みを増加した重み付け平均値と、前記目標値との比較結果に基づき、前記製版条件及び前記印刷条件の少なくとも一方の条件を修正するか否かを決定する請求項２に記載の印刷システム。
【請求項４】
前記修正決定部が前記製版条件及び前記印刷条件の少なくとも一方の条件を修正することを決定した場合、前記比較結果に基づき、前記製版条件及び前記印刷条件の少なくとも一方の条件を修正する条件修正部を備える請求項１から３のいずれか１項に記載の印刷システム。
【請求項５】
前記製版部は、前記製版条件が修正された場合には修正後の前記製版条件に基づき前記フレキソ印刷版の製版を行い、前記印刷部は、前記印刷条件が修正された場合には修正後の前記印刷条件に基づき印刷を行う請求項４に記載の印刷システム。
【請求項６】
前記条件修正部は、前記目標値と、前記測定部により得られた前記第１特性データとの差分に基づき、前記製版条件及び前記印刷条件の少なくとも一方を修正する請求項４または５に記載の印刷システム。
【請求項７】
前記製版部及び前記印刷部と同機種の製版部及び印刷部が、前記製版条件及び前記印刷条件の条件毎に前記評価画像を前記被印刷媒体に印刷し、前記測定部と同機種の測定部が前記条件毎の前記評価画像の特性を測定して前記第２特性データを取得し、フレキソ印刷特性モデル構築部が前記条件毎の前記第２特性データに基づき生成した前記フレキソ印刷特性モデルを、前記記憶部が記憶している請求項１から６のいずれか１項に記載の印刷システム。
【請求項８】
前記フレキソ印刷特性モデル構築部により生成された前記フレキソ印刷特性モデルを取得して前記記憶部に記憶させるモデル取得部を備える請求項７に記載の印刷システム。
【請求項９】
前記評価領域検出部は、前記原稿画像の画像データを解析して前記評価領域を検出する請求項１から８のいずれか１項に記載の印刷システム。
【請求項１０】
前記評価領域検出部は、前記測定部により読み取られた前記原稿画像の読取結果を解析して前記評価領域を検出する請求項１から９のいずれか１項に記載の印刷システム。
【請求項１１】
前記第１特性データ及び前記第２特性データには、画質特性を示す画質特性データと、色特性を示す色特性データとが含まれる請求項１から１０のいずれか１項に記載の印刷システム。
【請求項１２】
前記製版条件は、前記フレキソ印刷版の網形状、網線数、網角度系列、凸形状、及び凹形状の少なくともいずれか一つを含む請求項１から１１のいずれか１項に記載の印刷システム。
【請求項１３】
原稿画像に基づきフレキソ印刷版を製版する製版部の製版条件と、前記フレキソ印刷版を用いて被印刷媒体に前記原稿画像の印刷を行う印刷部の印刷条件とを管理する管理装置において、
前記原稿画像に含まれる評価領域であって且つ画像特性評価用の評価画像で評価される項目の少なくとも一つの項目を評価可能な前記評価領域の特性を示す第１特性データの目標値を設定する目標値設定部と、
前記評価画像の特性を予め測定して得られた第２特性データと、前記第２特性データの測定元の前記評価画像を印刷する際の前記フレキソ印刷版の製版条件及び印刷条件との対応関係を示すフレキソ印刷特性モデルを記憶した記憶部と、
前記目標値設定部にて設定した前記第１特性データの目標値に基づき、前記記憶部に記憶されている前記フレキソ印刷特性モデルを参照して、前記目標値に対応する前記製版条件及び前記印刷条件を決定する条件決定部と、
前記条件決定部にて決定された前記製版条件及び前記印刷条件に基づいた前記製版部の製版及び前記印刷部の印刷を経て得られた前記原稿画像の前記第１特性データを取得する特性データ取得部と、
前記特性データ取得部により取得された前記第１特性データと、前記目標値との比較結果に基づき、前記製版条件及び前記印刷条件の少なくとも一方の条件を修正するか否かを決定する修正決定部と、
を備える管理装置。
【請求項１４】
前記目標値設定部は、予め定められた前記項目に対応する前記第１特性データの前記目標値を設定し、
前記修正決定部は、前記特性データ取得部が複数種類の前記原稿画像からそれぞれ取得した前記第１特性データを記憶する第１特性データ記憶部を有し、前記目標値設定部にて設定された前記目標値の全てに対応する前記第１特性データが前記第１特性データ記憶部に記憶された場合、当該第１特性データ記憶部内の前記第１特性データと、前記目標値との比較結果に基づき、前記製版条件及び前記印刷条件の少なくとも一方の条件を修正するか否かを決定する請求項１３に記載の管理装置。
【請求項１５】
前記修正決定部が前記製版条件及び前記印刷条件の少なくとも一方の条件を修正することを決定した場合、前記比較結果に基づき、前記製版条件及び前記印刷条件の少なくとも一方の条件を修正する条件修正部を備える請求項１３または１４に記載の管理装置。
【請求項１６】
前記製版条件は、前記フレキソ印刷版の網形状、網線数、網角度系列、凸形状、及び凹形状の少なくともいずれか一つを含む請求項１３から１５のいずれか１項に記載の管理装置。
【請求項１７】
原稿画像に基づきフレキソ印刷版を製版する製版部の製版条件と、前記フレキソ印刷版を用いて被印刷媒体に前記原稿画像の印刷を行う印刷部の印刷条件とを管理する管理方法において、
前記原稿画像に含まれる評価領域であって且つ画像特性評価用の評価画像で評価される項目の少なくとも一つの項目を評価可能な前記評価領域の特性を示す第１特性データの目標値を設定する目標値設定ステップと、
前記評価画像の特性を予め測定して得られた第２特性データと、前記第２特性データの測定元の前記評価画像を印刷する際の前記フレキソ印刷版の製版条件及び印刷条件との対応関係を示すフレキソ印刷特性モデルを記憶部に記憶させておく記憶ステップと、
前記目標値設定ステップにて設定した前記第１特性データの目標値に基づき、前記記憶部に記憶されている前記フレキソ印刷特性モデルを参照して、前記目標値に対応する前記製版条件及び前記印刷条件を決定する条件決定ステップと、
前記条件決定ステップにて決定された前記製版条件及び前記印刷条件に基づいた前記製版部の製版及び前記印刷部の印刷を経て得られた前記原稿画像の前記第１特性データを取得する特性データ取得ステップと、
前記特性データ取得ステップで取得した前記第１特性データと、前記目標値との比較結果に基づき、前記製版条件及び前記印刷条件の少なくとも一方の条件を修正するか否かを決定する修正決定ステップと、
を有する管理方法。
【請求項１８】
前記目標値設定ステップでは、予め定められた前記項目に対応する前記第１特性データの前記目標値を設定し、
前記修正決定ステップは、前記特性データ取得ステップで複数種類の前記原稿画像からそれぞれ取得した前記第１特性データを第１特性データ記憶部に記憶させ、前記目標値設定ステップにて設定された前記目標値の全てに対応する前記第１特性データが前記第１特性データ記憶部に記憶された場合、当該第１特性データ記憶部内の前記第１特性データと、前記目標値との比較結果に基づき、前記製版条件及び前記印刷条件の少なくとも一方の条件を修正するか否かを決定する請求項１７に記載の管理方法。
【請求項１９】
前記修正決定ステップにて前記製版条件及び前記印刷条件の少なくとも一方の条件を修正することを決定した場合、前記比較結果に基づき、前記製版条件及び前記印刷条件の少なくとも一方の条件を修正する条件修正ステップを有する請求項１７または１８に記載の管理方法。
【請求項２０】
前記製版条件は、前記フレキソ印刷版の網形状、網線数、網角度系列、凸形状、及び凹形状の少なくともいずれか一つを含む請求項１７から１９のいずれか１項に記載の管理方法。
【発明の詳細な説明】
【技術分野】
【０００１】
本発明は、フレキソ印刷を行う印刷システム、並びにフレキソ印刷の製版条件と印刷条件を管理する管理装置及び管理方法に関する。
【背景技術】
【０００２】
近年、環境に優しい印刷方式としてフレキソ印刷方式が注目されている（特許文献１及び特許文献２参照）。フレキソ印刷では、柔軟で弾力性のあるフレキソ印刷版（凸版）と、インク（水性インク、ＵＶ（ultraviolet）インク等）とを使用して印刷を行う。このフレキソ印刷方式においても、他の印刷方式と同様に、印刷物の画質を高めるために各種印刷条件の調整を行うのが通常である。
【０００３】
例えば、特許文献３には、印刷物を印刷するときの目標値となる色管理データと、印刷物の色測定データとを比較した結果に基づき、印刷装置のインクの量を制御することで、印刷物の色再現を適切に調整する方法が開示されている。これにより、印刷物の画質を高めることができる。
【０００４】
また、特許文献４には、印刷物をイメージセンサで撮像して得られた撮影画像データと、予め記憶されている印刷物の基準画像データとを比較することで、色ずれについて検査を行う検査装置が開示されている。これにより、短時間で印刷装置の調整が可能となり、色ずれのない高い色再現が実現されるので、印刷物の画質を高めることができる。
【先行技術文献】
【特許文献】
【０００５】
【特許文献１】特開２０１４−６９４２７号公報
【特許文献２】特開２０１４−６９４２８号公報
【特許文献３】特開２００４−１９５７３９号公報
【特許文献４】特開２００６−１３０７９５号公報
【発明の概要】
【発明が解決しようとする課題】
【０００６】
ところで、フレキソ印刷方式では、印刷制御によって、特許文献３及び特許文献４に開示されている色再現以外に、像構造（平網におけるムラ及びスジ及びアーティファクト、線品質）品質も変化する。このため、フレキソ印刷における印刷物の像構造と色再現とを両立するためには、フレキソ印刷を行う際の印刷条件だけではなく、フレキソ印刷版を製版する際の製版条件（フレキソ印刷版の形状等）も適切に決定する必要がある。特許文献３及び特許文献４に開示されている発明では、高品質な印刷物を得るための製版条件及び印刷条件を決定する方法までは開示されておらず、フレキソ印刷では熟練者のノウハウによって製版条件及び印刷条件を決定する必要がある。
【０００７】
ここで、製版条件及び印刷条件については、フレキソ印刷を行う印刷システムを製造するメーカにて設定された条件を取得する方法も考えられる。しかし、メーカにおいて条件を求めるために使用した印刷システムと、顧客の印刷システムとは同機種ではあるが、製造誤差や各部の日々の変動等により印刷再現性は完全に同一とはならない。また、印刷する原稿画像が変わると適切な製版条件や印刷条件も変わる場合がある。このため、メーカから提供された製版条件及び印刷条件を用いたとしても、必ずしも高品質な印刷物を得られるとは限られず、上述の通り、熟練者のノウハウによって製版条件及び印刷条件を決定する必要があった。
【０００８】
本発明はこのような事情に鑑みてなされたものであり、フレキソ印刷において高品質な印刷物を得るための製版条件と印刷条件とを容易に把握することができる印刷システム及び管理装置並びに管理方法を提供することを目的とする。
【課題を解決するための手段】
【０００９】
本発明の目的を達成するための印刷システムは、原稿画像に基づきフレキソ印刷版を製版する製版部と、フレキソ印刷版を用いて被印刷媒体に原稿画像を印刷する印刷部と、原稿画像から、画像特性評価用の評価画像で評価される項目の少なくとも一つの項目を評価可能な評価領域を検出する評価領域検出部と、印刷部により被印刷媒体に印刷された原稿画像を読み取り、評価領域検出部により検出された評価領域から原稿画像の特性を測定して第１特性データを得る測定部と、評価画像の特性を予め測定して得られた第２特性データと、第２特性データの測定元の評価画像を印刷する際のフレキソ印刷版の製版条件及び印刷条件との対応関係を示すフレキソ印刷特性モデルを記憶した記憶部と、第１特性データの目標値を設定する目標値設定部と、目標値設定部にて設定した第１特性データの目標値に基づき、記憶部に記憶されているフレキソ印刷特性モデルを参照して、目標値に対応する製版条件及び印刷条件を決定する条件決定部と、測定部から、条件決定部にて決定された製版条件及び印刷条件に基づいた製版部の製版及び印刷部の印刷を経て得られた原稿画像の第１特性データを取得する特性データ取得部と、特性データ取得部にて取得された第１特性データと、目標値との比較結果に基づき、製版条件及び印刷条件の少なくとも一方の条件を修正するか否かを決定する修正決定部と、を備える。
【００１０】
本発明によれば、オペレータの経験等に基づいて製版条件と印刷条件とを決定する場合と比較して、フレキソ印刷において高品質な印刷物を得るための製版条件と印刷条件とを容易に把握することができる。また、原稿画像の評価領域から検出した第１特性データに基づき製版条件及び印刷条件の修正を行うので、印刷する原稿画像に適した製版条件及び印刷条件を把握することができる。
【００１１】
本発明の他の態様に係る印刷システムにおいて、目標値設定部は、予め定められた項目に対応する第１特性データの目標値を設定し、修正決定部は、特性データ取得部が複数種類の原稿画像からそれぞれ取得した第１特性データを記憶する第１特性データ記憶部を有し、目標値設定部にて設定された目標値の全てに対応する第１特性データが第１特性データ記憶部に記憶された場合、第１特性データ記憶部内の第１特性データと、目標値との比較結果に基づき、製版条件及び印刷条件の少なくとも一方の条件を修正するか否かを決定する。これにより、主要な項目あるいは顧客の要望に応じた項目を全て含む第１特性データに基づき、製版条件及び印刷条件の修正を行うか否かを決定することができる。
【００１２】
本発明の他の態様に係る印刷システムにおいて、修正決定部は、第１特性データ記憶部内に同一の項目に対応する第１特性データが複数記憶された場合、複数の第１特性データの平均値、または時間的に新しい第１特性データの重みを増加した重み付け平均値と、目標値との比較結果に基づき、製版条件及び印刷条件の少なくとも一方の条件を修正するか否かを決定する。これにより、第１特性データの平均値または重み付け平均値に基づき、製版条件及び印刷条件を修正するか否かを決定することができる。
【００１３】
本発明の他の態様に係る印刷システムにおいて、修正決定部が製版条件及び印刷条件の少なくとも一方の条件を修正することを決定した場合、比較結果に基づき、製版条件及び印刷条件の少なくとも一方の条件を修正する条件修正部を備える。これにより、高品質な印刷物が得られる。
【００１４】
本発明の他の態様に係る印刷システムにおいて、製版部は、製版条件が修正された場合には修正後の製版条件に基づきフレキソ印刷版の製版を行い、印刷部は、印刷条件が修正された場合には修正後の印刷条件に基づき印刷を行う。これにより、高品質な印刷物が得られる。
【００１５】
本発明の他の態様に係る印刷システムにおいて、条件修正部は、目標値と、測定部により得られた第１特性データとの差分に基づき、製版条件及び印刷条件の少なくとも一方を修正する。これにより、高品質な印刷物を得るための製版条件と印刷条件とを容易に決定することができる。
【００１６】
本発明の他の態様に係る印刷システムにおいて、製版部及び印刷部と同機種の製版部及び印刷部が、製版条件及び印刷条件の条件毎に評価画像を被印刷媒体に印刷し、測定部と同機種の測定部が条件毎の評価画像の特性を測定して第２特性データを取得し、フレキソ印刷特性モデル構築部が条件毎の第２特性データに基づき生成したフレキソ印刷特性モデルを、記憶部が記憶している。これにより、フレキソ印刷特性モデルを参照して、高品質な印刷物を得るための製版条件と印刷条件とを容易に決定することができる。
【００１７】
本発明の他の態様に係る印刷システムにおいて、フレキソ印刷特性モデル構築部により生成されたフレキソ印刷特性モデルを取得して記憶部に記憶させるモデル取得部を備える。これにより、印刷システムのメーカで生成されたフレキソ印刷特性モデルを取得することができる。
【００１８】
本発明の他の態様に係る印刷システムにおいて、評価領域検出部は、原稿画像の画像データを解析して評価領域を検出する。これにより、原稿画像の評価領域から、評価画像で評価される項目の少なくとも一つの項目を測定することができる。
【００１９】
本発明の他の態様に係る印刷システムにおいて、評価領域検出部は、測定部により読み取られた原稿画像の読取結果を解析して評価領域を検出する。これにより、原稿画像の評価領域から、評価画像で評価される項目の少なくとも一つの項目を測定することができる。
【００２０】
本発明の他の態様に係る印刷システムにおいて、第１特性データ及び第２特性データには、画質特性を示す画質特性データと、色特性を示す色特性データとが含まれる。印刷物の像構造と色再現を両立することができる。
【００２１】
本発明の目的を達成するための管理装置は、原稿画像に基づきフレキソ印刷版を製版する製版部の製版条件と、フレキソ印刷版を用いて被印刷媒体に原稿画像の印刷を行う印刷部の印刷条件とを管理する管理装置において、原稿画像に含まれる評価領域であって且つ画像特性評価用の評価画像で評価される項目の少なくとも一つの項目を評価可能な評価領域の特性を示す第１特性データの目標値を設定する目標値設定部と、評価画像の特性を予め測定して得られた第２特性データと、第２特性データの測定元の評価画像を印刷する際のフレキソ印刷版の製版条件及び印刷条件との対応関係を示すフレキソ印刷特性モデルを記憶した記憶部と、目標値設定部にて設定した第１特性データの目標値に基づき、記憶部に記憶されているフレキソ印刷特性モデルを参照して、目標値に対応する製版条件及び印刷条件を決定する条件決定部と、条件決定部にて決定された製版条件及び印刷条件に基づいた製版部の製版及び印刷部の印刷を経て得られた原稿画像の第１特性データを取得する特性データ取得部と、特性データ取得部により取得された第１特性データと、目標値との比較結果に基づき、製版条件及び印刷条件の少なくとも一方の条件を修正するか否かを決定する修正決定部と、を備える。
【００２２】
本発明の他の態様に係る管理装置において、目標値設定部は、予め定められた項目に対応する第１特性データの目標値を設定し、修正決定部は、特性データ取得部が複数種類の原稿画像からそれぞれ取得した第１特性データを記憶する第１特性データ記憶部を有し、目標値設定部にて設定された目標値の全てに対応する第１特性データが第１特性データ記憶部に記憶された場合、第１特性データ記憶部内の第１特性データと、目標値との比較結果に基づき、製版条件及び印刷条件の少なくとも一方の条件を修正するか否かを決定する。
【００２３】
本発明の他の態様に係る管理装置において、修正決定部が製版条件及び印刷条件の少なくとも一方の条件を修正することを決定した場合、比較結果に基づき、製版条件及び印刷条件の少なくとも一方の条件を修正する条件修正部を備える。
【００２４】
本発明の目的を達成するための管理方法は、原稿画像に基づきフレキソ印刷版を製版する製版部の製版条件と、フレキソ印刷版を用いて被印刷媒体に原稿画像の印刷を行う印刷部の印刷条件とを管理する管理方法において、原稿画像に含まれる評価領域であって且つ画像特性評価用の評価画像で評価される項目の少なくとも一つの項目を評価可能な評価領域の特性を示す第１特性データの目標値を設定する目標値設定ステップと、評価画像の特性を予め測定して得られた第２特性データと、第２特性データの測定元の評価画像を印刷する際のフレキソ印刷版の製版条件及び印刷条件との対応関係を示すフレキソ印刷特性モデルを記憶部に記憶させておく記憶ステップと、目標値設定ステップにて設定した第１特性データの目標値に基づき、記憶部に記憶されているフレキソ印刷特性モデルを参照して、目標値に対応する製版条件及び印刷条件を決定する条件決定ステップと、条件決定ステップにて決定された製版条件及び印刷条件に基づいた製版部の製版及び印刷部の印刷を経て得られた原稿画像の第１特性データを取得する特性データ取得ステップと、特性データ取得ステップで取得した第１特性データと、目標値との比較結果に基づき、製版条件及び印刷条件の少なくとも一方の条件を修正するか否かを決定する修正決定ステップと、を有する。
【００２５】
本発明の他の態様に係る管理方法において、目標値設定ステップでは、予め定められた項目に対応する第１特性データの目標値を設定し、修正決定ステップは、特性データ取得ステップで複数種類の原稿画像からそれぞれ取得した第１特性データを第１特性データ記憶部に記憶させ、目標値設定ステップにて設定された目標値の全てに対応する第１特性データが第１特性データ記憶部に記憶された場合、第１特性データ記憶部内の第１特性データと、目標値との比較結果に基づき、製版条件及び印刷条件の少なくとも一方の条件を修正するか否かを決定する。
【００２６】
本発明の他の態様に係る管理方法において、修正決定ステップにて製版条件及び印刷条件の少なくとも一方の条件を修正することを決定した場合、比較結果に基づき、製版条件及び印刷条件の少なくとも一方の条件を修正する条件修正ステップを有する。
【発明の効果】
【００２７】
本発明の印刷システム及び管理装置並びに管理方法は、フレキソ印刷において高品質な印刷物を得るための製版条件と印刷条件とを容易に把握することができる。
【図面の簡単な説明】
【００２８】
【図１】印刷システムの概略図である。
【図２】フレキソ製版装置の一例を示した概略図である。
【図３】フレキソ製版装置のＣＴＰ（Ｃｏｍｐｕｔｅｒ  Ｔｏ  Ｐｌａｔｅ）描画部の概略図である。
【図４】製版条件の一例を説明するための説明図である。
【図５】製版条件の「凸形状」を説明するための説明図である。
【図６】製版条件の「凹形状」を説明するための説明図である。
【図７】フレキソ印刷装置の一例の概略図を示したものである。
【図８】印刷条件の一例を説明するための説明図である。
【図９】解析チャートの一例を説明するための説明図である。
【図１０】図９に示した解析チャートの一部分の拡大図である。
【図１１】第２特性データを説明するための説明図である。
【図１２】印刷システムの測定装置及び管理装置の機能ブロック図である。
【図１３】原稿画像内の評価領域の一例を説明するための説明図である。
【図１４】評価領域検出部による各評価領域の検出処理の流れを示すフローチャートである。
【図１５】モデル構築システムによるフレキソ印刷特性モデルの生成処理の流れを示すフローチャートである。
【図１６】印刷システムにおける製版条件及び印刷条件の修正処理の流れを示すフローチャートである。
【図１７】製版条件及び印刷条件の修正処理を説明するための説明図である。
【図１８】別実施形態の印刷システムを構成する管理装置の機能ブロック図である。
【図１９】別実施形態の条件修正部による初期の製版条件及び印刷条件の修正処理を説明するための説明図である。
【図２０】別実施形態の印刷システムにおける製版条件及び印刷条件の修正処理の流れを示すフローチャートである。
【図２１】第１特性データ記憶部内に同一の評価項目に対応する第１特性データが複数記憶された場合の条件修正部の処理を説明するための説明図である。
【発明を実施するための形態】
【００２９】
［印刷システムの構成］
図１は、印刷システム１０の概略図である。図１に示すように、印刷システム１０は、フレキソ印刷版１２（凸版）とインクとを使用して被印刷媒体１３（図７参照）に画像を印刷するフレキソ印刷を行うことで、印刷物１４を生成する。この印刷システム１０は、大別して、本発明の製版部に相当するフレキソ製版装置２０と、本発明の印刷部に相当するフレキソ印刷装置３０と、本発明の測定部に相当する測定装置４０と、管理装置５０とにより構成されている。
【００３０】
フレキソ製版装置２０は、原稿画像１６の画像データに基づき、原稿画像１６に対応するレリーフ１９（図３参照）をフレキソ版材Ｆ（図３参照）に形成することで、フレキソ印刷版１２の製版を行う。
【００３１】
図２は、フレキソ製版装置２０の一例を示した概略図である。図２に示すように、フレキソ製版装置２０は、大別して、ＲＩＰ（Ｒａｓｔｅｒ  Ｉｍａｇｅ  Ｐｒｏｃｅｓｓｏｒ）処理部２１と、レーザ彫刻を行うＣＴＰ（Ｃｏｍｐｕｔｅｒ  Ｔｏ  Ｐｌａｔｅ）描画部２２と、を有している。なお、フレキソ製版装置２０は、画像データに基づきフレキソ印刷版１２の製版するものであれば、その構成は図２に示した構成に限定されるものではない。
【００３２】
ＲＩＰ処理部２１は、原稿画像１６の画像データをラスタ画像データに展開する展開処理と、ラスタ画像データから２値画像データを生成するスクリーニング処理と、２値画像データを露光量データに変換する露光量データ生成処理と、を行う。
【００３３】
具体的に、ＲＩＰ処理部２１は、コンピュータ等を用いて編集された原稿画像１６のベクトル画像を表現するＰＤＦ（Ｐｏｒｔａｂｌｅ  Ｄｏｃｕｍｅｎｔ  Ｆｏｒｍａｔ）データやＰＳ（ＰｏｓｔＳｃｒｉｐｔ；登録商標）データ等のページ記述言語（Ｐａｇｅ  Ｄｅｓｃｒｉｐｔｉｏｎ  Ｌａｎｇｕａｇｅ）データを、ラスタ画像データに展開する展開処理を行う。
【００３４】
次いで、ＲＩＰ処理部２１は、ラスタ画像データを、予め指定された網点［ＡＭ（Amplitude Modulation）網点、ＦＭ（Frequency Modulation）網点等］、角度、スクリーン線数等の条件下でスクリーニング処理して、２値画像データに変換する。
【００３５】
そして、ＲＩＰ処理部２１は、２値画像データに基づき、フレキソ印刷版１２に形成するレリーフ１９を示すレリーフパターンデータを生成し、このレリーフパターンデータをフレキソ版材Ｆに対する露光光量に応じた露光量データに変換する。ＲＩＰ処理部２１は、露光量データをＣＴＰ描画部２２へ出力する。
【００３６】
図３は、ＣＴＰ描画部２２の概略図である。図３に示すように、ＣＴＰ描画部２２は、ＲＩＰ処理部２１から入力される露光量データに基づき、合成樹脂又はゴム等の弾性材などからなる前述のフレキソ版材Ｆに対してレーザ彫刻処理を施すことで、フレキソ印刷版１２を製版する。
【００３７】
ＣＴＰ描画部２２は、ドラム６２と、ドラム６２上に保持されるフレキソ版材Ｆを露光彫刻するための露光ヘッド６８とを備えており、所謂レーザ彫刻機として機能する。露光ヘッド６８はステージ７０に搭載され、ピント位置変更機構７２及び間欠送り機構７８によって移動可能となっている。
【００３８】
ピント位置変更機構７２は、フレキソ版材Ｆが取り付けられたドラム６２に対して露光ヘッド６８を前後移動させるためのモータ７４及びボールネジ７６を有する。これらのモータ７４及びボールネジ７６によって露光ヘッド６８の主走査方向の移動が制御され、露光彫刻処理のピント位置が調整される。
【００３９】
間欠送り機構７８は、ボールネジ８０と、このボールネジ８０を回転させる副走査モータ８２とを有する。これらのボールネジ８０及び副走査モータ８２によって露光ヘッド６８（ステージ７０）の副走査方向への移動が制御され、露光ヘッド６８はドラム６２の軸線６４方向（副走査方向）に間欠送りされる。なお、ドラム６２上のフレキソ版材Ｆは、チャック部材６６によってチャックされ、ドラム６２上での保持位置が固定される。フレキソ版材Ｆのうちチャック部材６６によってチャックされる位置は、露光ヘッド６８による露光が行われない領域である。
【００４０】
ドラム６２を回転させながら、露光ヘッド６８からのレーザビームをフレキソ版材Ｆに対して照射することで、フレキソ版材Ｆの表面に所望のレリーフ１９が形成される。なお、ドラム６２の回転によってチャック部材６６が露光ヘッド６８の前を通過する際に、露光ヘッド６８（ステージ７０）が副走査方向に間欠送りされ、その後、次のラインのレーザ彫刻が行われる。
【００４１】
このような「ドラム６２の回転によるフレキソ版材Ｆの主走査方向の送り」及び「露光ヘッド６８の副走査方向の間欠送り」を組み合わせることによって、露光走査位置が制御される。また、露光走査位置毎の露光量データ（深さデータ）に基づくレーザビームの強度やオンオフが制御されることで、所望の形状のレリーフ１９がフレキソ版材Ｆにレーザ彫刻され、フレキソ印刷に使用されるフレキソ印刷版１２が形成される。
【００４２】
上記構成のフレキソ製版装置２０は、フレキソ印刷版１２を製版する際の製版条件２５（図１及び図４参照）を調整可能である。この製版条件２５を調整することで、フレキソ印刷版１２の形状が制御され、その結果、印刷物１４に印刷される画像の像構造品質や線品質などの画質特性を適切に調整することができる。
【００４３】
図４は、製版条件２５の一例を説明するための説明図である。図４に示すように、製版条件２５には、例えば、「網形状」と「網線数」と「網角度系列」と「凸形状」と「凹形状」との条件が含まれている。なお、各条件における「Ｃ／Ｍ／Ｙ／Ｋ」はインクの色［シアン（Ｃ）、マゼンタ（Ｍ）、イエロー（Ｙ）、ブラック（Ｋ）］を表している。
【００４４】
「網形状」は、フレキソ印刷版１２の網点の形状である。「網線数」は、複数の網点が規則的に配置されて形成される平網における単位長さあたりの網線の本数である。「網角度系列」は、網線の角度であり、例えば４色刷りではモアレの発生を防止するために色（Ｃ／Ｍ／Ｙ／Ｋ）ごとに角度を変化させて設定する。
【００４５】
図５は製版条件２５の「凸形状」を説明するための説明図であり、図６は製版条件２５の「凹形状」を説明するための説明図である。図５に示すように、「凸形状」は凸版であるフレキソ印刷版１２の凸部分の形状を表すものである。この凸部分の形状は、凸部分の先端部を構成するキャップ層の高さ（図中のＣＡＰで表示）と、凸部分の基端部の傾斜角度θ１とにより表される。
【００４６】
図６に示すように、「凹形状」はフレキソ印刷版１２の凸部分の間に位置する凹部分の形状を表すものである。この凹部分の形状は、凹部分の深さ（図中のＤで表示）と、凹部分の底部の傾斜角度θ２とにより表される。
【００４７】
このような製版条件２５の各条件に従って、フレキソ製版装置２０はフレキソ印刷版１２の製版を行う。
【００４８】
図７は、フレキソ印刷装置３０の一例を示した概略図である。図７に示すように、フレキソ印刷装置３０は、フレキソ製版装置２０により製版されたフレキソ印刷版１２を用いて、被印刷媒体１３に画像を印刷して印刷物１４を生成する。このフレキソ印刷装置３０は、大別して、フレキソ印刷版１２と、フレキソ印刷版１２が両面テープ等のクッションテープ３２を介して取り付けられる版胴３４と、ドクターチャンバ３６によりインクが供給されるアニロックスローラ３８と、版胴３４と対向するように設置される圧胴３９とを備える。
【００４９】
版胴３４に取り付けられているフレキソ印刷版１２のレリーフ１９の頂部（印刷面）には、アニロックスローラ３８からインクが転写される。そして、フレキソ印刷版１２が取り付けられた版胴３４と圧胴３９との間を被印刷媒体１３が通過する際に、被印刷媒体１３にフレキソ印刷版１２（レリーフ１９の頂部）が押し当てられることで、フレキソ印刷版１２のレリーフ頂部に付着するインクが被印刷媒体１３に転写される。これにより、被印刷媒体１３上に所望画像が印刷形成されて印刷物１４が生成される。
【００５０】
上記構成のフレキソ印刷装置３０は、被印刷媒体１３に画像を印刷する際の印刷条件２７（図１及び図８参照）を調整可能であり、この印刷条件２７を調整することで、印刷物１４に印刷される画像の階調や色再現性などの色特性を適切に調整することができる。
【００５１】
図８は、印刷条件２７の一例を説明するための説明図である。印刷条件２７には、例えば、「インキ種」と「インキ粘度」と「クッションテープ」と「印圧」と「アニ圧」と「印刷速度」と「アニロックスローラ線数」と「アニロックスローラセル容量」と「アニロックスローラセル形状」との各条件が含まれている。なお、前述の製版条件２５と同様に、「Ｃ／Ｍ／Ｙ／Ｋ」は該当する条件におけるインクの色を表している。
【００５２】
「インキ種」は、フレキソ印刷に用いるインクの種類を表す。「インキ粘度」は、フレキソ印刷に用いるインクの推奨粘度を表す。「クッションテープ」は、クッションテープ３２の種類（ソフト、セミソフトなど）を表す。「印圧」は、フレキソ印刷版１２にかかる印圧によるフレキソ印刷版１２の圧縮量（食い込み量）を表す。「アニ圧」は、アニロックスローラ３８とフレキソ印刷版１２との間の圧力であるアニ圧によるアニロックスローラ３８の圧縮量（食い込み量）を表す。
【００５３】
「アニロックスローラ線数」及び「アニロックスローラセル容量」及び「アニロックスローラセル形状」は、それぞれアニロックスローラ３８の線数と、アニロックスローラ３８のセルの容量と、アニロックスローラ３８のセルの形状とを表す。
【００５４】
このような印刷条件２７の各条件に従って、フレキソ印刷装置３０はフレキソ印刷を行って印刷物１４を生成する。
【００５５】
図１に戻って、測定装置４０は、前述のフレキソ製版装置２０及びフレキソ印刷装置３０により原稿画像１６が印刷された印刷物１４を測定対象とする。この測定装置４０は、詳しくは後述するが、印刷物１４に印刷された原稿画像１６の特性を測定して第１特性データ４２を得て、第１特性データ４２を管理装置５０へ出力する。
【００５６】
管理装置５０は、詳しくは後述するが、測定装置４０から入力される第１特性データ４２に基づき、モデル構築システム９０により生成されたフレキソ印刷特性モデル９２を参照して、前述の製版条件２５と印刷条件２７とを管理（修正）する。
【００５７】
［モデル構築システムの構成］
モデル構築システム９０は、印刷システム１０を製造するメーカに設置されており、顧客の印刷システム１０で使用されるフレキソ印刷特性モデル９２の生成を行う。このモデル構築システム９０は、前述のフレキソ製版装置２０及びフレキソ印刷装置３０及び測定装置４０とそれぞれ同機種のフレキソ製版装置２０Ａ及びフレキソ印刷装置３０Ａ及び測定装置４０Ａと、モデル構築部９３とにより構成されている。ここで、「同機種」とは完全に同一に機種に限定されるものではなく、印刷再現性に基本的に差がでない小改良が施されている機種も含まれる。
【００５８】
フレキソ製版装置２０Ａは、後述の解析チャート９５（図９参照）の画像データに基づき、所定の製版条件２５にて、解析チャート９５に対応するレリーフ１９をフレキソ版材Ｆに形成することで、フレキソ印刷版１２Ａの製版を行う。具体的な製版の方法は前述のフレキソ製版装置２０（図２及び図３参照）と同じであるので、ここでは具体的な説明は省略する。
【００５９】
フレキソ印刷装置３０Ａは、所定の印刷条件２７にて、フレキソ製版装置２０Ａにより製版されたフレキソ印刷版１２Ａにより被印刷媒体１３に解析チャート９５を印刷して印刷物１４Ａを生成する。具体的な印刷の方法は前述のフレキソ印刷装置３０（図７参照）と同じであるので、ここでは具体的な説明は省略する。
【００６０】
測定装置４０Ａは、前述のフレキソ製版装置２０Ａ及びフレキソ印刷装置３０Ａを経て印刷物１４Ａに印刷された解析チャート９５を読み取り、この解析チャート９５の特性を測定して第２特性データ９７を得る。
【００６１】
図９は、本発明の画像特性評価用の評価画像に相当する解析チャート９５の一例を説明するための説明図である。また、図１０は、図９に示した解析チャート９５の一部分の拡大図である。この解析チャート９５を測定装置４０Ａにて読み取ることで第２特性データ９７が得られる。
【００６２】
図９及び図１０に示すように、解析チャート９５を、この解析チャート９５に対応した画像解析アルゴリズムによって解析することで解析チャート９５の画質特性を示す画質特性データ９８（図１１参照）が得られる。
【００６３】
例えば、解析チャート９５の像構造領域９５Ａ［複数色（シアン、ピンク、グレー等）ついて網形状及び網線数などを段階的に変更したカラーチャート］の読取結果を画像解析アルゴリズムによって解析することで画質特性として、像構造を示す「粒状性」と「バンディング」と「スジムラ」を算出することができる。また、解析チャート９５の階調性領域９５Ｂ［複数色（イエロー、マゼンタ、シアン、レッド、グリーン、ブルー、グレー、ブラックなど）の濃度を段階的に変更したカラーチャート］の読取結果を画像解析アルゴリズムによって解析することで画質特性として、像構造を示す「モアレ」を算出することができる。さらに、解析チャート９５のＣＴＦ（Contrast Transfer Function）領域９５Ｃ［縦縞線及び横縞線のチャート］の読取結果を画像解析アルゴリズムによって解析することで画質特性として、像構造を示す「ＣＴＦ」を算出することができる。
【００６４】
また、解析チャート９５の線品質領域９５Ｄ［線幅の異なる複数線により構成されるチャート］の読取結果を画像解析アルゴリズムによって解析することで画質特性として、線品質を示す「線幅」と「ラジットネス」と「線濃度」と、を算出することができる。
【００６５】
一方、解析チャート９５を測定装置４０Ａにて読み取って測色することで色特性データ９９（図１１参照）が得られる。例えば、前述の階調性領域９５Ｂを測色することで、階調を示す「階調性」が得られる。また、解析チャート９５のトーンジャンプ領域９５Ｅ［複数色（ブラック、レッド、グリーン、マゼンタ、シアン、ブルー等）の濃度をリニアに変更したカラーチャート］を測色することで、階調を示す「トーンジャンプ」が得られる。さらに、解析チャート９５の色再現領域９５Ｆ［色再現を評価可能な複数色のカラーチャート］を測色することで、色再現を示す「色再現域深さ」と「最大濃度」と「最小濃度」とが得られる。
【００６６】
なお、図９中において、像構造領域９５Ａと階調性領域９５Ｂとトーンジャンプ領域９５Ｅと色再現領域９５Ｆとは、モノクロで表示されているが、実際には多色のカラー領域である。
【００６７】
図１１は、測定装置４０Ａにより得られる第２特性データ９７を説明するための説明図である。図１１に示すように、測定装置４０Ａは、解析チャート９５の像構造領域９５Ａ及び階調性領域９５Ｂ及びＣＴＦ領域９５Ｃ及び線品質領域９５Ｄを読み取って解析することで、像構造（「粒状性」、「バンディング」、「スジムラ」、「モアレ」、「ＣＴＦ」）と線品質（「線幅」、「ラジットネス」、「線濃度」）とを示す画質特性データ９８を得る。
【００６８】
また、測定装置４０Ａは、解析チャート９５の階調性領域９５Ｂとトーンジャンプ領域９５Ｅと色再現領域９５Ｆとを測色することで、階調（「階調性」、「トーンジャンプ」）と色再現（「色再現域深さ」、「最大濃度」、「最小濃度」）とを示す色特性データ９９を得る。これにより、画質特性データ９８と色特性データ９９とを含む第２特性データ９７が得られる。測定装置４０Ａは、第２特性データ９７をモデル構築部９３へ出力する。
【００６９】
図１に戻って、モデル構築システム９０では、製版条件２５及び印刷条件２７を変えながら、フレキソ製版装置２０Ａによるフレキソ印刷版１２Ａの製版と、フレキソ印刷装置３０Ａによる解析チャート９５の印刷と、測定装置４０Ａによる第２特性データ９７（画質特性データ９８及び色特性データ９９）の測定と、が繰り返し実行される。
【００７０】
＜フレキソ印刷特性モデルの生成処理＞
モデル構築部９３は、本発明のフレキソ印刷特性モデル構築部に相当する。このモデル構築部９３は、第２特性データ９７と、第２特性データ９７の測定元の解析チャート９５を印刷する際の製版条件２５及び印刷条件２７と、の対応関係を示すフレキソ印刷特性モデル９２を生成する。
【００７１】
モデル構築部９３は、複数の製版条件２５及び印刷条件２７と、条件毎の第２特性データ９７とを対応付ける、例えば公知のモデル化手法によってモデル化（多変量解析モデル、機械学習、ニューロンモデル）することで、フレキソ印刷特性モデル９２を生成する。このようなモデル化を行うことで、製版条件２５及び印刷条件２７の全条件について第２特性データ９７の測定を行う必要が無くなり、限られた数の条件下での第２特性データ９７の測定によりフレキソ印刷特性モデル９２を生成することができる。
【００７２】
以下、モデル構築部９３によるフレキソ印刷特性モデル９２の生成の一例について詳細に説明する。
【００７３】
フレキソ印刷特性モデル９２の生成の際には、製版条件２５及び印刷条件２７の各項目を「説明変数」とし、第２特性データ９７の画質特性データ９８及び色特性データ９９を「目的変数」として、重回帰分析の手法を用いて、説明変数の情報から目的変数の値を予測する重回帰式の各係数を求める。製版条件２５及び印刷条件２７は、質的データとして以下のように扱う。
【００７４】
製版条件２５及び印刷条件２７（図４及び図８参照）において、網形状、網角度系列、凸形状、凹形状、インキ種、及びアニロックスローラセル形状は、名義尺度を用いる。また、網線数、インキ粘度、印圧、アニ圧、印刷速度、アニロックスローラ線数、及びアニロックスローラセル容量は、順序尺度を用いる。
【００７５】
多変量解析の数量化１類を用いて、ダミー変数を使用して数値化する。目的変数の粒状性、モアレ、バンディング、・・・に対応する目的変数ｙ１，ｙ２，ｙ３，・・・について、以下の、
・y1 = a11*x1 +a12*x2 +a13*x3 +…
・y2 = a21*x1 +a22*x2 +a23*x3+…
・y3 = a31*x1 +a32*x2 +a33*x3+…
・…
で表される予測式の各係数（ａ１１，ａ１２，ａ１３，・・・）を求める。ここで、変数ｘ１，ｘ２，ｘ３，…は順序尺度または名義尺度を使って数値化した、説明変数（網形状、網角度系列、凸形状、…）に対応している。
【００７６】
上記の多変量解析手法によって、各係数ａ１１，ａ１２，ａ１３，…を決定することで、製版条件２５及び印刷条件２７から画質特性データ９８及び色特性データ９９を予測する多項式がフレキソ印刷特性モデル９２として求められる。これにより、製版条件２５及び印刷条件２７と、第２特性データ９７（画質特性データ９８及び色特性データ９９）との対応関係を示すフレキソ印刷特性モデル９２を生成することができる。このフレキソ印刷特性モデル９２を参照することで、詳しくは後述するが、画質特性データ９８及び色特性データ９９の入力に対して、製版条件２５及び印刷条件２７を決定することが可能となる。モデル構築部９３が生成したフレキソ印刷特性モデル９２は、印刷システム１０の管理装置５０に入力される。
【００７７】
［印刷システムの測定装置の測定処理］
図１２は、印刷システム１０の測定装置４０及び管理装置５０の機能ブロック図を示したものである。図１２に示すように、測定装置４０は、印刷物１４に記録された原稿画像１６を読み取って、解析チャート９５で評価される評価項目（図９、図１１参照）について測定することで、原稿画像１６の特性を示す第１特性データ４２を得る。
【００７８】
測定装置４０には評価領域検出部４５が設けられている。評価領域検出部４５には、測定装置４０による測定前（原稿画像１６に基づく製版及び印刷前）に、原稿画像１６の画像データが入力される。この評価領域検出部４５は、原稿画像１６の画像データに基づき、原稿画像１６から、解析チャート９５にて評価される各評価項目の少なくとも一つを評価可能な評価領域１８（図１３参照）を検出する。
【００７９】
＜評価領域の検出＞
図１３は、原稿画像１６内の評価領域１８の一例を説明するための説明図である。図１３に示すように、評価領域検出部４５は、図示の原稿画像１６から、評価領域１８として、例えば、粒状性等評価領域１８Ａと、最大濃度評価領域１８Ｂと、色再現域領域１８Ｃと、最小濃度評価領域１８Ｄと、線濃度等評価領域１８Ｅと、を検出する。なお、図中の各評価領域１８に対応する矩形枠内には、評価可能な評価項目の名称が記載されている。
【００８０】
粒状性等評価領域１８Ａは、原稿画像１６内で画像濃度が一様な領域（例えば背景）である。この粒状性等評価領域１８Ａ内の画像信号に基づき、前述の解析チャート９５において評価可能な評価項目の中で「粒状性、バンディング、スジムラ」をそれぞれ評価することができる。
【００８１】
最大濃度評価領域１８Ｂは、原稿画像１６内で画像濃度が最大となる領域（例えば、黒色の被写体領域）である。この最大濃度評価領域１８Ｂ内の画像信号に基づき、前述の解析チャート９５において評価可能な評価項目の中で「最大濃度」を評価することができる。
【００８２】
色再現域領域１８Ｃは、原稿画像１６内で色再現域の広さを検出可能な領域（例えば、レッド（Ｒ）、グリーン（Ｇ）、ブルー（Ｂ）の少なくとも一色を含む領域）である。この色再現域領域１８Ｃ内の画像信号に基づき、前述の解析チャート９５において評価可能な評価項目の中で「色再現域広さ」を評価することができる。
【００８３】
最小濃度評価領域１８Ｄは、原稿画像１６内で画像濃度が最小となる領域（例えば、白色の被写体領域など）である。この最小濃度評価領域１８Ｄ内の画像信号に基づき、前述の解析チャート９５において評価可能な評価項目の中で「最小濃度」を評価することができる。
【００８４】
線濃度等評価領域１８Ｅは、原稿画像１６内で線幅及び線濃度を検出可能な領域（例えば、文字や模様などの線を含む領域）である。この線濃度等評価領域１８Ｅ内の画像信号に基づき、前述の解析チャート９５にて評価可能な評価項目の中で「線幅、線濃度」をそれぞれ評価することができる。
【００８５】
図１４（Ａ）〜（Ｅ）は、評価領域検出部４５による評価領域１８の各領域の検出処理の流れを示すフローチャートである。
【００８６】
図１４（Ａ）に示すように、評価領域検出部４５は、粒状性等評価領域１８Ａの検出を行う際には、例えば３５ｍｍサイズのＲＯＩ（Region of Interest：以下、ＲＯＩサイズ（大）という）を原稿画像１６内の任意の位置（例えば四隅部のいずれか１つ）に設定する。そして、評価領域検出部４５は、ＲＯＩサイズ（大）の範囲内の画像信号を解析して、ＲＯＩサイズ（大）の範囲内の濃度（画素値）が一様（ここでは、濃度が予め定められた範囲内に収まる「略一様」を含む）であるか否かを判断する。以下、評価領域検出部４５は、ＲＯＩサイズ（大）の位置を変えながら原稿画像１６の全面を走査し、各位置においてＲＯＩサイズ（大）の範囲内の濃度が一様か否かの一様性判定処理を行う（ステップＳＡ１）。
【００８７】
この際に，評価領域検出部４５は、濃度の一様性有りと判断したＲＯＩサイズ（大）の位置を粒状性等評価領域１８Ａとして決定する（ステップＳＡ２でＹＥＳ）。次いで、評価領域検出部４５は、粒状性等評価領域１８Ａとして決定した粒状性等評価領域１８Ａ［ＲＯＩサイズ（大）］の位置を、濃度別に図示しないメモリに登録する（ステップＳＡ３）。
【００８８】
図１４（Ｂ）に示すように、評価領域検出部４５は、最大濃度評価領域１８Ｂの検出を行う際には、例えば１０ｍｍサイズのＲＯＩ（以下、ＲＯＩサイズ（中）という）を原稿画像１６内の任意の位置に設定する。そして、評価領域検出部４５は、ＲＯＩサイズ（中）の範囲内の画像信号を解析して、ＲＯＩサイズ（中）の範囲内の濃度が一様であるか否かを判断する。以下、評価領域検出部４５は、ＲＯＩサイズ（中）の位置を変えながら原稿画像１６の全面を走査し、各位置においてＲＯＩサイズ（中）の範囲内の濃度が一様であるか否かの一様性判定処理を行う（ステップＳＢ１）。
【００８９】
この際に、評価領域検出部４５は、各位置のＲＯＩサイズ（中）のうちで濃度の一様性有りと判断したＲＯＩサイズ（中）を選択する（ステップＳＢ２でＹＥＳ）。次いで、評価領域検出部４５は、選択したＲＯＩサイズ（中）の中で最大濃度となるＲＯＩサイズ（中）の位置を最大濃度評価領域１８Ｂとして決定し、この位置をメモリに登録する（ステップＳＢ３でＹＥＳ、ステップＳＢ４）。
【００９０】
図１４（Ｃ）に示すように、評価領域検出部４５は、色再現域領域１８Ｃの検出を行う際には、ＲＯＩサイズ（中）の位置を変えながら原稿画像１６の全面を走査して、各位置においてＲＯＩサイズ（中）の範囲内の濃度の一様性判定処理を行う（ステップＳＣ１）。
【００９１】
この際に、評価領域検出部４５は、各位置のＲＯＩサイズ（中）の中で濃度の一様性有りと判断したＲＯＩサイズ（中）を選択する（ステップＳＣ２でＹＥＳ）。次いで、評価領域検出部４５は、濃度の一様性があるＲＯＩサイズ（中）のうち、色再現域境界となるＲＯＩサイズ（中）が存在する場合には、色再現域境界となるＲＯＩサイズ（中）を色再現域領域１８Ｃとしてメモリに登録する（ステップＳＣ３でＹＥＳ、ステップＳＣ４）。
【００９２】
図１４（Ｄ）に示すように、評価領域検出部４５は、最小濃度評価領域１８Ｄの検出を行う際には、ＲＯＩサイズ（中）の位置を変えながら原稿画像１６の全面を走査して、各位置においてＲＯＩサイズ（中）の範囲内の濃度の一様性判定処理を行う（ステップＳＤ１）。
【００９３】
この際に、評価領域検出部４５は、各位置のＲＯＩサイズ（中）の中で濃度の一様性有りと判断したＲＯＩサイズ（中）を選択する（ステップＳＤ２でＹＥＳ）。次いで、評価領域検出部４５は、選択したＲＯＩサイズ（中）の中で最小濃度となるＲＯＩサイズ（中）の位置を最小濃度評価領域１８Ｄとして決定し、この位置をメモリに登録する（ステップＳＤ３でＹＥＳ、ステップＳＤ４）。
【００９４】
図１４（Ｅ）に示すように、評価領域検出部４５は、線濃度等評価領域１８Ｅの検出を行う際には、線検出処理を原稿画像１６の全面に行う（ステップＳＥ１）。次いで、評価領域検出部４５は、線長さが所定値以上の領域を線評価位置として判定する（ステップＳＥ２でＹＥＳ、ステップＳＥ３でＹＥＳ）。そして、評価領域検出部４５は、線評価位置を含む所定の大きさの領域を線濃度等評価領域１８Ｅとして決定し、この位置をメモリに登録する（ステップＳＥ４）。以上で、評価領域検出部４５の検出処理が終了する。
【００９５】
なお、図１３及び図１４にて説明した各評価領域１８は、図１３に図示されている原稿画像１６から検出可能な評価領域１８の例を示したものである。従って、原稿画像１６の種類が変わることで、上記以外の解析チャート９５の評価項目（「モアレ」、「ＣＴＦ」、「階調性」など）を評価可能な評価領域１８を検出することができる。
【００９６】
測定装置４０は、評価領域検出部４５により前述のメモリに登録されている評価領域１８の各領域の位置の検出結果に基づき、各領域で評価可能な評価項目（図１３参照）について測定する。
【００９７】
具体的に、測定装置４０は、原稿画像１６内の粒状性等評価領域１８Ａ内の画像信号に基づき、粒状性及びバンディング及びスジムラを測定する。前述の通り、メモリには濃度別に粒状性等評価領域１８Ａの位置が登録されているので、粒状性及びバンディング及びスジムラの測定は濃度別に行われる。これにより、原稿画像１６の画像信号の濃度値（光学濃度）別に、「粒状性」及び「バンディング」及び「スジムラ」の測定結果が得られる。
【００９８】
また、測定装置４０は、原稿画像１６内の最大濃度評価領域１８Ｂ及び色再現域領域１８Ｃ及び最小濃度評価領域１８Ｄの各領域内の画像信号に基づき、最大濃度、色再現域広さ、最小濃度をそれぞれ測定する。これにより、原稿画像１６の「最大濃度」及び「色再現域広さ」及び「最小濃度」の測定結果が得られる。
【００９９】
さらに、測定装置４０は、原稿画像１６内の線濃度等評価領域１８Ｅの画像信号に基づき、線幅（線幅画素数）及び線濃度（濃度値）を測定する。これにより、原稿画像１６の「線幅」及び「線濃度」の測定結果が得られる。
【０１００】
上述の測定装置４０の測定結果の中で、「粒状性」と「バンディング」と「スジムラ」と「線幅」と「線濃度」とは、前述の画質特性データ９８（図１１参照）に含まれる評価項目である。従って、測定装置４０は、これらの評価項目（「粒状性」、「バンディング」、「スジムラ」、「線幅」、「線濃度」）により構成される画質特性データ９８Ｓ（図１２参照）を測定する。この画質特性データ９８Ｓは、前述の解析チャート９５の測定で得られる画質特性データ９８の各評価項目の中で、原稿画像１６において評価可能な項目により構成されるデータである。
【０１０１】
また、上述の測定装置４０の測定結果の中で、「最大濃度」と「色再現域広さ」と「最小濃度」とは、前述の色特性データ９９（図１１参照）に含まれる評価項目である。従って、測定装置４０は、これらの評価項目（「最大濃度」、「色再現域広さ」、「最小濃度」）により構成される色特性データ９９Ｓ（図１２参照）を測定する。この色特性データ９９Ｓは、前述の解析チャート９５の測定で得られる色特性データ９９の各評価項目の中で、原稿画像１６において評価可能な項目により構成されるデータである。
【０１０２】
このようにして測定装置４０は、原稿画像１６から、画質特性データ９８Ｓ及び色特性データ９９Ｓにより構成される第１特性データ４２（図１２参照）を測定し、この第１特性データ４２を管理装置５０へ出力する。
【０１０３】
［管理装置の構成］
図１２に戻って、管理装置５０は、大別してモデル取得部５２と、記憶部５３と、目標値設定部５４と、条件決定部５５と、条件修正部５６と、を有している。
【０１０４】
モデル取得部５２は、前述のモデル構築部９３にて生成されたフレキソ印刷特性モデル９２を取得する。例えば、モデル取得部５２とモデル構築部９３とが有線又は無線のネットワークを介して接続されている場合、あるいはネットワーク上のサーバにフレキソ印刷特性モデル９２が記憶されている場合には、モデル取得部５２として、通信インタフェースが用いられる。また、フレキソ印刷特性モデル９２がメモリカード等の情報記録媒体に記録されている場合には、モデル取得部５２として、情報記録媒体からフレキソ印刷特性モデル９２を読み取る読み取りインタフェースが用いられる。また、オペレータが手動でフレキソ印刷特性モデル９２のデータを管理装置５０に入力する場合には、モデル取得部５２として、キーボード等の入力インタフェースが用いられる。モデル取得部５２は、取得したフレキソ印刷特性モデル９２を記憶部５３に記憶させる。
【０１０５】
記憶部５３は、モデル取得部５２から入力されたフレキソ印刷特性モデル９２を記憶する。なお、モデル取得部５２によるフレキソ印刷特性モデル９２の取得から記憶部５３へのフレキソ印刷特性モデル９２の記憶までの処理は、印刷システム１０のメーカにて行われていてもよい。そして、メーカのモデル構築システム９０において新たなフレキソ印刷特性モデル９２が生成された場合には、モデル取得部５２により新たなフレキソ印刷特性モデル９２を取得して記憶部５３に記憶されているフレキソ印刷特性モデル９２に上書きしてもよい。
【０１０６】
目標値設定部５４は、原稿画像１６の印刷前に、予めこの原稿画像１６を測定装置４０にて測定することにより得られる第１特性データ４２（画質特性データ９８Ｓ及び色特性データ９９Ｓ）の目標値Ｐを設定する。この目標値Ｐの設定は、例えば、前述の評価領域検出部４５の検出結果に基づき、オペレータが図示しない操作部に入力する目標値設定操作の内容に従って行われる。
【０１０７】
例えば、評価領域検出部４５により粒状性等評価領域１８Ａが検出された場合に、オペレータは、原稿画像１６の画像信号の濃度値（光学濃度）別に、「粒状性」及び「バンディング」及び「スジムラ」の各項目の目標値を決定して、各項目の目標値設定操作を行う。また、評価領域検出部４５により最大濃度評価領域１８Ｂ及び色再現域領域１８Ｃ及び最小濃度評価領域１８Ｄが検出された場合に、オペレータは、「最大濃度」及び「色再現域広さ」及び「最小濃度」の各項目の目標値を決定して、各項目の目標値設定操作を行う。さらに、評価領域検出部４５により線濃度等評価領域１８Ｅが検出された場合に、オペレータは、線幅の目標値［原稿画像１６の線幅画素数に対する仕上がり目標の線幅（ｍｍ単位）、及び線濃度の目標値［濃度値（光学濃度）］を決定して、各項目の目標値設定操作を行う。
【０１０８】
目標値設定部５４は、前述の各項目の目標値設定操作に基づき、第１特性データ４２（画質特性データ９８Ｓ及び色特性データ９９Ｓの各評価項目）の目標値Ｐを決定して、この目標値Ｐを条件決定部５５と、条件修正部５６とにそれぞれ出力する。
【０１０９】
条件決定部５５は、目標値設定部５４から入力された目標値Ｐ（画質特性データ９８Ｓ及び色特性データ９９Ｓ）に基づき、記憶部５３に記憶されているフレキソ印刷特性モデル９２を参照して、目標値Ｐに対応する初期の製版条件２５及び印刷条件２７（初期値）を決定する。
【０１１０】
［製版条件２５及び印刷条件２７の決定処理］
以下、条件決定部５５による製版条件２５及び印刷条件２７の決定処理の一例について説明を行う。
【０１１１】
条件決定部５５は、公知の最適化アルゴリズム（遺伝的アルゴリズム、シミュレーテッドアニーリングなど）を用いて、目標値Ｐを与える初期の製版条件２５と印刷条件２７とを上記の予測式（ｙ１＝…、ｙ２＝…、ｙ３＝…、・・・）に基づいて求める。ここでは、最適化手法を使うために、目標値Ｐは適切な評価式によって１変数に落とし込む。この評価式としては、例えば以下の、
Ｅ＝（ｔ１−ｔ１ｘ）２＋（ｔ２−ｔ２ｘ）２＋（ｔ３−ｔ３ｘ）２＋・・・
で表される式が用いられる。ここで、ｔ１、ｔ２、ｔ３・・・は画質特性データ９８及び色特性データ９９の個々の項目の目標値Ｐであり、ｔ１ｘ、ｔ２ｘ、ｔ３ｘ・・・は評価対象であり、Ｅは評価値（この例では誤差に相当）である。なお、「１変数に落とし込む」とは、最適化対象が複数ある場合（例えばｔ１、ｔ２、ｔ３、・・・）に、１つの評価式が最適であることが、複数の最適化対象が最適となるように表現する最適化手法を用いることである。
【０１１２】
以下、前述の最適化アルゴリズムとして遺伝的アルゴリズムを用いる場合を例に説明する。
【０１１３】
画質特性データ９８及び色特性データ９９の目標値Ｐを前述の通りｔ１、ｔ２、ｔ３・・・として、製版条件２５及び印刷条件２７の所定数の候補群をｓ１ｋ、ｓ２ｋ、ｓ３ｋ・・・とする（ｋは候補数に相当する）。また、突然変異に相当する候補をｓ１ｍ、ｓ２ｍ、ｓ３ｍ・・・として（ｍは候補数に相当する）、遺伝に相当する処理である候補群同士の部分的な変更、交換、平均化などの処理を行い、それぞれの評価値を計算して評価値が優れた順に並べた順の所定数を新たな候補群として更新する（イテレーション処理）。
【０１１４】
終了条件は、評価値が予め設定した条件（誤差が許容範囲以下）を満たせば終了し、その場合、終了条件に相当する候補を最適値（初期の製版条件２５及び印刷条件２７）として出力する。条件を満たさない場合、イテレーション処理を再度実行する。イテレーション処理は上限回数を設定しておき、上限回数に達した場合も終了とする。その場合はその時点で最も優れた候補が最適値（初期の製版条件２５及び印刷条件２７）となる。
【０１１５】
なお、前述の最適化アルゴリズムとしてシミュレーテッドアニーリングを用いる場合、候補（ｓ１、ｓ２、ｓ３、・・・）に対して所定回数の乱数加算によって複数の候補群を生成し、それぞれの評価値を計算して評価値が最も優れたものを次の候補として選択する。
【０１１６】
（イテレーション処理）
イテレーション処理の乱数は計算開始時点では絶対値が大きく、イテレーション処理回数が増加するにつれて乱数の絶対値が小さくなるように制御する。終了条件は、評価値が予め設定した条件（誤差が許容範囲以下）を満たせば終了し、その場合には条件に相当する候補を最適値として出力する。条件を満たさない場合、イテレーション処理を再度実行する。イテレーション処理は上限回数を設定しておき、上限回数に達した場合も終了とする。
【０１１７】
このようにして条件決定部５５は、フレキソ印刷特性モデル９２を使った計算により、目標値Ｐに対応する初期の製版条件２５及び印刷条件２７（初期値）を決定することができる。そして、条件決定部５５は、決定した初期の製版条件２５及び印刷条件２７をそれぞれフレキソ製版装置２０、フレキソ印刷装置３０へ出力する。これにより、初期の製版条件２５及び印刷条件２７がそれぞれフレキソ製版装置２０、フレキソ印刷装置３０に設定される。
【０１１８】
条件修正部５６は、本発明の特性データ取得部、且つ修正決定部、且つ条件修正部として機能する。条件修正部５６は、最初に、測定装置４０より第１特性データ４２（画質特性データ９８Ｓ及び色特性データ９９Ｓ）を取得する。この第１特性データ４２は、初期の製版条件２５及び印刷条件２７に基づいて得られた原稿画像１６を、測定装置４０により測定することで得られたデータである。
【０１１９】
次いで、条件修正部５６は、測定装置４０から得られた第１特性データ４２（画質特性データ９８Ｓ及び色特性データ９９Ｓ）と、前述の目標値設定部５４から入力された目標値Ｐ（画質特性データ９８Ｓ及び色特性データ９９Ｓ）と比較して、この比較結果に基づき初期の製版条件２５及び印刷条件２７の修正を行うか否かを決定する。
【０１２０】
具体的に、条件修正部５６は、測定装置４０から得られた実測値である第１特性データ４２（画質特性データ９８Ｓ及び色特性データ９９Ｓ）と、目標値Ｐ（画質特性データ９８Ｓ及び色特性データ９９Ｓ）との誤差（差分）を求め、誤差が予め定めた許容範囲を超えるか否かを判断する。そして、条件修正部５６は、誤差が許容範囲を超えると判断した場合には、初期の製版条件２５及び印刷条件２７の少なくともいずれか一方の修正を行うことを決定し、補正値１００（「目標値Ｐ−実測値」：図１７参照）を目標値Ｐに加算した値を「補正した目標値Ｐ」とする。
【０１２１】
次いで、条件修正部５６は、前述の比較結果に対応する「補正した目標値Ｐ」に基づき、フレキソ印刷特性モデル９２を参照して、前述の製版条件２５及び印刷条件２７の決定処理でなされる計算を行って、初期の製版条件２５を修正した修正製版条件２５ａ及び初期の印刷条件２７を修正した修正印刷条件２７ａの少なくともいずれか一方を決定する。そして、条件修正部５６は、初期の製版条件２５の修正を行う場合には、修正後の修正製版条件２５ａをフレキソ製版装置２０に出力する。また、条件修正部５６は、初期の印刷条件２７の修正を行う場合には、修正後の修正印刷条件２７ａをフレキソ印刷装置３０に出力する。
【０１２２】
フレキソ製版装置２０は、条件修正部５６から入力された修正製版条件２５ａに基づき、フレキソ印刷版１２の製版を行う。また、フレキソ印刷装置３０は、条件修正部５６から入力された修正印刷条件２７ａに基づき、印刷物１４（原稿画像１６）の印刷を行う。
【０１２３】
このような製版条件２５及び印刷条件２７の修正は、新規の原稿画像１６の印刷を行う場合や印刷する原稿画像１６を変更する場合、或いは印刷システム１０の定期検査（定期メンテナンス）を行う場合など、適宜タイミングで実施される。
【０１２４】
［印刷システムの作用］
次に、上記構成の印刷システム１０の作用、特に製版条件２５及び印刷条件２７の修正について説明する。最初に、印刷システム１０における製版条件２５及び印刷条件２７の修正のために必要なフレキソ印刷特性モデル９２の生成処理について説明を行う。
【０１２５】
＜フレキソ印刷特性モデルの生成処理＞
図１５は、モデル構築システム９０によるフレキソ印刷特性モデル９２の生成処理の流れを示すフローチャートである。図１５に示すように、最初に、解析チャート９５（図９参照）の画像データがフレキソ製版装置２０Ａに入力される（ステップＳ１）。
【０１２６】
解析チャート９５の画像データの入力後、製版開始操作がなされると、フレキソ製版装置２０Ａは、画像データに基づき、所定の製版条件２５にて、解析チャート９５に対応するレリーフ１９をフレキソ版材Ｆに形成する。これにより、解析チャート９５に対応するフレキソ印刷版１２Ａが製版される（ステップＳ２）。このフレキソ印刷版１２Ａは、フレキソ印刷装置３０Ａの版胴３４（図７参照）にセットされる。
【０１２７】
この際に、モデル構築部９３は、フレキソ製版装置２０Ａからフレキソ印刷版１２Ａを製版した際の製版条件２５を取得する（ステップＳ３）。なお、図１５中では、フレキソ印刷版１２Ａの製版後にモデル構築部９３による製版条件２５の取得が行われているが、製版条件２５の取得のタイミングは特に限定されず、例えばフレキソ印刷版１２Ａの製版前や製版中であってもよい。
【０１２８】
フレキソ印刷版１２Ａの版胴３４へのセット後、印刷開始操作がなされると、フレキソ印刷装置３０Ａは、所定の印刷条件２７にてフレキソ印刷版１２Ａにより被印刷媒体１３に解析チャート９５を印刷して印刷物１４Ａを生成する（ステップＳ４）。この印刷物１４Ａは、測定装置４０Ａにセットされる。
【０１２９】
この際に、モデル構築部９３は、フレキソ印刷装置３０Ａから解析チャート９５を印刷した際の印刷条件２７を取得する（ステップＳ５）。なお、図１５中では、解析チャート９５の印刷後にモデル構築部９３による印刷条件２７の取得が行われているが、印刷条件２７の取得のタイミングは特に限定されず、例えば解析チャート９５の印刷前や印刷中であってもよい。
【０１３０】
印刷物１４Ａの測定装置４０Ａへのセット後、測定開始操作がなされると、測定装置４０Ａは、印刷物１４Ａに印刷された解析チャート９５を読み取り、この解析チャート９５の特性を測定して第２特性データ９７を得る（ステップＳ６）。測定装置４０Ａは、第２特性データ９７をモデル構築部９３へ出力する。
【０１３１】
以下、製版条件２５及び印刷条件２７の少なくとも一方を変えながら、フレキソ印刷版１２Ａの製版及び製版条件２５の取得と、解析チャート９５の印刷及び印刷条件２７の取得と、解析チャート９５の測定及び第２特性データ９７の取得と、が繰り返し実行される（ステップＳ７，Ｓ８のいずれかでＹＥＳ、ステップＳ２からステップＳ６）。なお、製版条件２５の取得や印刷条件２７の取得は条件が変更された場合にのみ行ってもよい。
【０１３２】
予め定めた全ての製版条件２５及び印刷条件２７での第２特性データ９７の取得が完了すると（ステップＳ７，Ｓ８の両方でＮＯ）、モデル構築部９３は、複数の製版条件２５及び印刷条件２７と、条件毎の第２特性データ９７との関係を前述の公知のモデル化手法によってモデル化する。これにより、製版条件２５及び印刷条件２７と、第２特性データ９７（画質特性データ９８及び色特性データ９９）と、の対応関係を示すフレキソ印刷特性モデル９２が生成される（ステップＳ９）。
【０１３３】
以上で、モデル構築システム９０によるフレキソ印刷特性モデル９２の生成処理が完了する。
【０１３４】
＜製版条件及び印刷条件の修正＞
図１６は、印刷システム１０における製版条件２５及び印刷条件２７の修正処理（本発明の管理方法に相当）の流れを示すフローチャートである。図１７は、製版条件２５及び印刷条件２７の修正処理を説明するための説明図である。
【０１３５】
図１６及び図１７に示すように、印刷システム１０では、予め、前述のモデル構築システム９０により生成されたフレキソ印刷特性モデル９２の取得がモデル取得部５２により実行されている。これにより、モデル取得部５２により取得されたフレキソ印刷特性モデル９２が記憶部５３に記憶されている（ステップＳ１１、記憶ステップに相当）。
【０１３６】
新規の原稿画像１６の印刷を行う場合や印刷する原稿画像１６を変更する場合など、印刷する原稿画像１６に対して最適な製版条件２５及び印刷条件２７を求めるタイミングにおいて（ステップＳ１２でＹＥＳ）、最初に、原稿画像１６の画像データが測定装置４０に入力される。
【０１３７】
測定装置４０に原稿画像１６の画像データが入力されると、評価領域検出部４５が作動する。評価領域検出部４５は、原稿画像１６の画像データに基づき、前述の図１４（Ａ）〜（Ｅ）を用いて説明した方法等により、原稿画像１６から複数（１つでも可）の評価領域１８を検出する（図１３参照、ステップＳ１３）。この評価領域１８の検出結果は、測定装置４０のメモリ等に記憶される。
【０１３８】
評価領域１８の検出後、オペレータは、評価領域検出部４５により検出された各評価領域１８に対応する評価項目の目標値を決定して、図示しない操作部にて目標値設定操作を行う。この目標値設定操作を受けて、目標値設定部５４は、図１７中の括弧付き数字（１）に示すように、第１特性データ４２（画質特性データ９８Ｓ及び色特性データ９９Ｓ）の目標値Ｐを設定し、この目標値Ｐを条件決定部５５と条件修正部５６とにそれぞれ出力する（ステップＳ１４、目標値設定ステップ）。
【０１３９】
条件決定部５５は、目標値設定部５４から入力された目標値Ｐに基づき、記憶部５３内のフレキソ印刷特性モデル９２を参照する。そして、条件決定部５５は、このフレキソ印刷特性モデル９２を使った前述の計算を行って、図１７中の括弧付き数字（２）及び（３）に示すように、目標値Ｐに対応する初期の製版条件２５及び印刷条件２７（初期値）を決定する（ステップＳ１５、条件決定ステップ）。これら初期の製版条件２５及び印刷条件２７は、それぞれフレキソ製版装置２０、フレキソ印刷装置３０に設定される。
【０１４０】
初期の製版条件２５及び印刷条件２７の設定後、原稿画像１６の画像データがフレキソ製版装置２０に入力される（ステップＳ１６）。
【０１４１】
原稿画像１６の画像データの入力後に製版開始操作がなされると、フレキソ製版装置２０は、画像データに基づき、初期の製版条件２５にて原稿画像１６に対応するレリーフ１９をフレキソ版材Ｆに形成する。これにより、原稿画像１６に対応するフレキソ印刷版１２が製版される（ステップＳ１７）。このフレキソ印刷版１２は、フレキソ印刷装置３０の版胴３４（図７参照）にセットされる。
【０１４２】
フレキソ印刷版１２の版胴３４へのセット後、印刷開始操作がなされると、フレキソ印刷装置３０は、初期の印刷条件２７にてフレキソ印刷版１２により被印刷媒体１３に原稿画像１６を印刷して印刷物１４を生成する（ステップＳ１８）。この印刷物１４は、測定装置４０にセットされる。
【０１４３】
印刷物１４の測定装置４０へのセット後、測定開始操作がなされると、測定装置４０は、先にメモリに格納された各評価領域１８の検出結果に基づき、印刷物１４に印刷された原稿画像１６内での各評価領域１８の位置を求める。次いで、測定装置４０は、印刷物１４に印刷された原稿画像１６内の評価領域１８ごとに、各領域で評価可能な評価項目（図１３参照）について測定を行う。これにより、原稿画像１６の特性を示す第１特性データ４２（画質特性データ９８Ｓ及び色特性データ９９Ｓ）が得られる（ステップＳ１９）。
【０１４４】
測定装置４０により測定された第１特性データ４２は、図１７中の括弧付き数字（４）に示すように、測定装置４０から条件修正部５６に出力される。これにより、条件修正部５６は、測定装置４０から第１特性データ４２を取得する（本発明の特性データ取得ステップに相当）。
【０１４５】
次いで、条件修正部５６は、測定装置４０から得られた実測値である第１特性データ４２（画質特性データ９８Ｓ及び色特性データ９９Ｓ）と、目標値Ｐ（画質特性データ９８Ｓ及び色特性データ９９Ｓ）との誤差（差分）を求める（ステップＳ２０）。そして、条件修正部５６は、この誤差が予め定めた許容範囲を超えるか否かを判断した結果に基づき、初期の製版条件２５及び印刷条件２７の少なくともいずれか一方の修正を行うか否かを決定する（ステップＳ２１、本発明の修正決定ステップに相当）。なお、誤差が許容範囲内であると条件修正部５６が判断した場合には、初期の製版条件２５及び印刷条件２７の修正は行われない（ステップＳ２１でＮＯ）。
【０１４６】
一方、条件修正部５６は、上述の誤差が許容範囲を超えると判断した場合、すなわち、初期の製版条件２５及び印刷条件２７の少なくともいずれか一方の修正を行うことを決定した場合には（ステップＳ２１でＹＥＳ）、図１７中の括弧付き数字（５）に示すように、前述の補正値１００を求める。そして、条件修正部５６は、補正値１００を目標値Ｐに加算した値を「補正した目標値Ｐ」とする。次いで、条件修正部５６は、「補正した目標値Ｐ」に基づき、フレキソ印刷特性モデル９２を参照して前述の計算を行う。これにより、図１７中の括弧付き数字（６）に示すように、初期の製版条件２５及び印刷条件２７の少なくともいずれか一方（本実施形態では両方の修正を行う）を修正した修正製版条件２５ａ及び修正印刷条件２７ａが決定する（ステップＳ２２、条件修正ステップ）。
【０１４７】
条件修正部５６により決定された修正製版条件２５ａ及び修正印刷条件２７ａは、図１７中の括弧付き数字（７）及び（８）に示すように、フレキソ製版装置２０及びフレキソ印刷装置３０にそれぞれ設定される（ステップＳ２３）。
【０１４８】
以上により、印刷システム１０における製版条件２５及び印刷条件２７の修正処理が完了する。なお、目標値Ｐ（画質特性データ９８Ｓ及び色特性データ９９Ｓの少なくとも一方）を変えながら、ステップＳ１４からステップＳ２３までの処理を複数回繰り返し実行してもよい。
【０１４９】
製版条件２５及び印刷条件２７の修正処理後、原稿画像１６の印刷を行う場合、フレキソ製版装置２０は、原稿画像１６の画像データに基づき、修正製版条件２５ａにてフレキソ印刷版１２の製版を行う。そして、フレキソ印刷装置３０は、原稿画像１６のフレキソ印刷版１２を用いて、修正印刷条件２７ａにて原稿画像１６の印刷を行う（ステップＳ２４）。
【０１５０】
以下、新規の原稿画像１６の印刷を行う場合や印刷する原稿画像１６を変更する場合などに、前述の各処理（ステップＳ１２からステップＳ２３）が繰り返し実行され、新たな修正製版条件２５ａ及び修正印刷条件２７ａに基づき原稿画像１６の印刷を行うことができる。
【０１５１】
［本実施形態の効果］
以上のように本実施形態の印刷システム１０では、予め生成されたフレキソ印刷特性モデル９２を参照して製版条件２５及び印刷条件２７を修正するか否かを決定することができるので、フレキソ印刷特性モデル９２を参照せずにオペレータの経験等に基づいて修正を行う場合と比較して、フレキソ印刷において高品質な印刷物を得るための製版条件と印刷条件（修正製版条件２５ａ、修正印刷条件２７ａ）とを容易に把握することができる。また、原稿画像１６の評価領域１８から検出した第１特性データ４２に基づき製版条件２５及び印刷条件２７の修正を行うので、印刷する原稿画像１６に適した製版条件２５及び印刷条件２７を把握することができる。これにより、フレキソ印刷において高品質な印刷物１４が得られる。
【０１５２】
さらに、印刷システム１０では、上記先行技術文献に記載されているような印刷条件だけでなく、製版条件の修正を行うことができるので、フレキソ印刷における印刷物の像構造と色再現とを両立することができ、高品質な印刷物１４が得られる。
【０１５３】
［別実施形態の印刷システム］
上記実施形態では、１つの原稿画像１６の評価領域１８から検出した第１特性データ４２に基づき、製版条件２５及び印刷条件２７の修正を行うか否かを決定する。この際に、原稿画像１６は顧客が印刷を希望する画像であるので、１つの原稿画像１６内に、必ずしも印刷物１４の像構造及び色再現などの印刷再現を評価するのに必要な評価項目（以下、主要な評価項目という）を含む評価領域１８が存在するとは限らない。そこで、別実施形態の印刷システムでは、複数の原稿画像１６の評価領域１８から検出した第１特性データ４２を記憶しておき、予め設定された全ての評価項目に対応する第１特性データ４２が得られた場合に、製版条件２５及び印刷条件２７の修正を行うか否かを決定する。
【０１５４】
図１８は、別実施形態の印刷システムを構成する管理装置１２０の機能ブロック図である。なお、別実施形態の印刷システムは、管理装置１２０の構成が上記実施形態の管理装置５０の構成と一部異なる点を除けば、上記実施形態の印刷システム１０と基本的に同じ構成である。このため、上記第実施形態と機能・構成上同一のものについては、同一符号を付してその説明は省略する。
【０１５５】
管理装置１２０は、上記実施形態の管理装置５０と同様のモデル取得部５２及び記憶部５３の他に、目標値設定部１２２と、条件決定部１２３と、条件修正部１２４と、を有している。
【０１５６】
目標値設定部１２２は、前述の図１１に示した評価項目の中で、例えば主要な評価項目や顧客の要望に応じた評価項目に対応する第１特性データ４２の目標値Ｐ１を設定する。すなわち、目標値設定部１２２は、上記実施形態のように評価領域検出部４５が事前に検出した評価領域１８に含まれる評価項目ではなく、顧客側で予め定めた評価項目に対応する第１特性データ４２の目標値Ｐ１を設定する。なお、目標値Ｐ１の設定は、上記実施形態の目標値Ｐ１の設定と同様に、顧客のオペレータが図示しない操作部に入力する目標値設定操作の内容に従って行われる。
【０１５７】
条件決定部１２３は、目標値設定部１２２から入力された目標値Ｐ１に基づき、フレキソ印刷特性モデル９２を参照して、目標値Ｐ１に対応する初期の製版条件２５及び印刷条件２７をそれぞれ決定する。そして、条件決定部１２３は、決定した製版条件２５をフレキソ製版装置２０に出力し、決定した印刷条件２７をフレキソ印刷装置３０に出力する。なお、目標値Ｐ１に対応する初期の製版条件２５及び印刷条件２７の具体的な決定方法は、上記実施形態と同じであるので、ここでは具体的な説明は省略する。
【０１５８】
別実施形態のフレキソ製版装置２０には、複数種類の原稿画像１６の画像データがそれぞれ任意のタイミングで入力される。なお、フレキソ製版装置２０には、原稿画像１６の画像データの入力前に、条件決定部１２３にて決定された初期の製版条件２５が設定されている。フレキソ製版装置２０は、複数種類の原稿画像１６の画像データごとに、前述の初期の製版条件２５にてフレキソ印刷版１２を形成する。なお、図中では、複数種類の原稿画像１６として、原稿画像１６（１）及び原稿画像１６（２）及び原稿画像１６（３）からなる３種類の原稿画像１６を例に挙げて説明しているが、原稿画像１６の種類数は特に限定はされない。
【０１５９】
別実施形態のフレキソ印刷装置３０には、フレキソ製版装置２０により形成された複数種類の原稿画像１６ごとのフレキソ印刷版１２がそれぞれ任意のタイミングでセットされる。なお、フレキソ製版装置２０には、フレキソ印刷版１２がセットされる前に、条件決定部１２３にて決定された初期の印刷条件２７が設定されている。フレキソ印刷装置３０は、複数種類の原稿画像１６ごとのフレキソ印刷版１２を用いて、前述の初期の印刷条件２７にて複数種類の原稿画像１６を被印刷媒体１３にそれぞれ印刷して、複数種類の原稿画像１６の印刷物１４をそれぞれ生成する。
【０１６０】
例えば、フレキソ印刷装置３０は、原稿画像１６（１）に対応するフレキソ印刷版１２がセットされた場合、前述の初期の印刷条件２７にて原稿画像１６（１）の印刷物１４（１）を生成する。以下同様に、フレキソ印刷装置３０は、原稿画像１６（２）に対応するフレキソ印刷版１２がセットされた場合には原稿画像１６（２）の印刷物１４（２）を生成し、原稿画像１６（３）に対応するフレキソ印刷版１２がセットされた場合には原稿画像１６（３）の印刷物１４（３）を生成する。
【０１６１】
別実施形態の測定装置４０には、前述のフレキソ印刷装置３０により生成された複数種類の原稿画像１６ごとの印刷物１４がそれぞれ任意のタイミングでセットされる。測定装置４０は、各印刷物１４から複数種類の原稿画像１６のそれぞれの特性を測定して第１特性データ４２を取得し、複数種類の原稿画像１６ごとの第１特性データ４２を条件修正部１２４へ出力する。
【０１６２】
また、別実施形態の測定装置４０の評価領域検出部４５には、複数種類の原稿画像１６ごとの印刷物１４がそれぞれセットされる前に、複数種類の原稿画像１６の画像データが予め入力される。これにより、評価領域検出部４５は、複数種類の原稿画像１６の画像データを解析して、前述の図１４（Ａ）〜（Ｅ）を用いて説明した方法等により、複数種類の原稿画像１６からそれぞれ評価領域１８を検出する。これら評価領域１８の検出結果は、測定装置４０のメモリ等に記憶される。
【０１６３】
測定装置４０は、例えば印刷物１４（１）がセットされた場合、前述のメモリに格納された原稿画像１６（１）内の評価領域１８の検出結果に基づき、原稿画像１６（１）内の評価領域１８の位置を求める。次いで、測定装置４０は、原稿画像１６（１）内の評価領域１８に対応する評価項目（図１３参照）についての測定を行う。これにより、原稿画像１６（１）の特性を示す第１特性データ４２（１）が得られる。以下同様に、測定装置４０は、印刷物１４（２）がセットされた場合、原稿画像１６（２）の特性を示す第１特性データ４２（２）を得る。また、測定装置４０は、印刷物１４（３）がセットされた場合、原稿画像１６（３）の特性を示す第１特性データ４２（３）を得る。そして、測定装置４０は、複数種類の原稿画像１６ごとの第１特性データ４２を条件修正部１２４へ出力する。
【０１６４】
図１９は、別実施形態の条件修正部１２４による初期の製版条件２５及び印刷条件２７の修正処理を説明するための説明図である。図１９に示すように、条件修正部１２４は、目標値設定部１２２にて設定された評価項目ごとの目標値Ｐ１の全てに対応する第１特性データ４２を取得した場合、初期の製版条件２５及び印刷条件２７の修正を行うか否かを決定する。この条件修正部１２４には、評価項目情報記憶部１２７と、第１特性データ記憶部１２８とが設けられている。
【０１６５】
評価項目情報記憶部１２７には、目標値設定部１２２により設定された目標値Ｐ１の評価項目に関する情報が記憶される。例えば目標値設定部１２２により、「粒状性」及び「バンディング」及び「最大濃度」及び「色再現域広さ」の評価項目に対応する第１特性データ４２の目標値Ｐ１が設定された場合、これらの評価項目に関する情報が評価項目情報記憶部１２７に記憶される。
【０１６６】
第１特性データ記憶部１２８には、測定装置４０から入力される複数種類の原稿画像１６ごとの第１特性データ４２が記憶される。ここでは、原稿画像１６（１）の第１特性データ４２（１）に含まれる評価項目が「粒状性」及び「色再現域広さ」であり、原稿画像１６（２）の第１特性データ４２（２）に含まれる評価項目が「バンディング」であり、原稿画像１６（３）の第１特性データ４２（３）に含まれる評価項目が「最大濃度」である。
【０１６７】
条件修正部１２４は、第１特性データ４２（１）が第１特性データ記憶部１２８に記憶された場合、第１特性データ４２（１）に含まれる評価項目と、評価項目情報記憶部１２７に記憶されている評価項目とを比較して、評価項目情報記憶部１２７内の評価項目の全てに対応する第１特性データ４２を取得したか否かを判定する。ここでは、「バンディング」及び「最大濃度」の評価項目に対応する第１特性データ４２が未取得であるので、条件修正部１２４は、初期の製版条件２５及び印刷条件２７の修正を行うか否かの決定を行わない。
【０１６８】
次いで、条件修正部１２４は、第１特性データ４２（２）が第１特性データ記憶部１２８に記憶された場合、第１特性データ４２（１），４２（２）に含まれる評価項目と、評価項目情報記憶部１２７に記憶されている評価項目とを比較して、評価項目情報記憶部１２７内の評価項目の全てに対応する第１特性データ４２を取得したか否かを判定する。依然として、「最大濃度」の評価項目に対応する第１特性データ４２が未取得であるので、条件修正部１２４は、初期の製版条件２５及び印刷条件２７の修正を行うか否かの決定を行わない。
【０１６９】
そして、条件修正部１２４は、第１特性データ４２（３）が第１特性データ記憶部１２８に記憶された場合、第１特性データ４２（１），４２（２），４２（３）に含まれる評価項目と、評価項目情報記憶部１２７に記憶されている評価項目とを比較して、評価項目情報記憶部１２７内の評価項目の全てに対応する第１特性データ４２を取得したか否かを判定する。評価項目情報記憶部１２７内の評価項目の全てに対応する第１特性データ４２、すなわち、目標値設定部１２２にて設定された評価項目ごとの目標値Ｐ１の全てに対応する第１特性データ４２が取得されているので、条件修正部１２４は、初期の製版条件２５及び印刷条件２７の修正を行うか否かの決定を行う。
【０１７０】
条件修正部１２４は、測定装置４０から得られた実測値である第１特性データ４２［第１特性データ４２（１），４２（２），４２（３）］と、目標値Ｐ１との誤差（差分）を求め、誤差が予め定めた許容範囲を超えるか否かを判断する。
【０１７１】
次いで、条件修正部１２４は、誤差が許容範囲を超えると判断した場合には、初期の製版条件２５及び印刷条件２７の少なくともいずれか一方の修正を行うことを決定し、補正値１００（ここでは「目標値Ｐ１−実測値」）を目標値Ｐ１に加算した値を「補正した目標値Ｐ１」とする。そして、条件修正部１２４は、「補正した目標値Ｐ１」に基づき、フレキソ印刷特性モデル９２を参照して、初期の製版条件２５を修正した修正製版条件２５ａ及び初期の印刷条件２７を修正した修正印刷条件２７ａの少なくともいずれか一方を決定する。これ以降の処理は上記実施形態と同じであるので、具体な説明は省略する。
【０１７２】
［別実施形態の印刷システムの作用］
次に、図２０を用いて、上記構成の別実施形態の印刷システムの作用、特に製版条件２５及び印刷条件２７の修正について説明する。図２０は、別実施形態の印刷システムにおける製版条件２５及び印刷条件２７の修正処理（本発明の管理方法に相当）の流れを示すフローチャートである。
【０１７３】
図２０に示すように、ステップＳ１１からステップＳ１２までの処理は、上記実施形態と同じであるので、ここでは具体的な説明を省略する。原稿画像１６に対して最適な製版条件２５及び印刷条件２７を求める場合（ステップＳ１２でＹＥＳ）、顧客のオペレータは、前述の図１１に示した評価項目の中で主要な評価項目や顧客の要望に応じた評価項目に対応する第１特性データ４２の目標値Ｐ１を決定する。
【０１７４】
次いで、オペレータは、図示しない操作部にて目標値設定操作を行う。この目標値設定操作を受けて、第１特性データ４２の目標値Ｐ１を設定し、この目標値Ｐ１を条件決定部１２３と条件修正部１２４とにそれぞれ出力する（ステップＳ１４Ａ、本発明の目標値設定ステップに相当）。条件修正部１２４は、目標値Ｐ１の評価項目に関する情報を評価項目情報記憶部１２７に記憶させる。
【０１７５】
条件決定部１２３は、目標値設定部５４から入力された目標値Ｐ１に基づき、記憶部５３内のフレキソ印刷特性モデル９２を参照して、目標値Ｐ１に対応する初期の製版条件２５及び印刷条件２７（初期値）を決定する（ステップＳ１５Ａ、本発明の条件決定ステップに相当）。初期の製版条件２５はフレキソ製版装置２０に設定され、初期の印刷条件２７はフレキソ印刷装置３０に設定される。
【０１７６】
初期の製版条件２５及び印刷条件２７の設定後、原稿画像１６（１）の画像データがフレキソ製版装置２０に入力される（ステップＳ１６Ａ）。また、原稿画像１６（１）の画像データは、測定装置４０の評価領域検出部４５に入力される。評価領域検出部４５は、原稿画像１６（１）の画像データに基づき、前述の図１４（Ａ）〜（Ｅ）を用いて説明した方法等により、原稿画像１６（１）から評価領域１８を検出する。この評価領域１８の検出結果は、測定装置４０のメモリ等に記憶される。
【０１７７】
原稿画像１６（１）の画像データの入力後に製版開始操作がなされると、上記実施形態と同様に、フレキソ製版装置２０が初期の製版条件２５にて原稿画像１６（１）に対応するフレキソ印刷版１２を製版する（ステップＳ１７Ａ）。次いで、フレキソ印刷装置３０が初期の印刷条件２７にてフレキソ印刷版１２を用いて被印刷媒体１３に原稿画像１６（１）を印刷して印刷物１４（１）を生成する（ステップＳ１８Ａ）。この印刷物１４（１）は、測定装置４０にセットされる。
【０１７８】
印刷物１４（１）の測定装置４０へのセット後、測定開始操作がなされると、測定装置４０は、先にメモリに格納された評価領域１８の検出結果に基づき、印刷物１４（１）に印刷された原稿画像１６（１）内の評価領域１８の位置を求める。次いで、測定装置４０は、原稿画像１６（１）内の評価領域１８で評価可能な評価項目（図１３参照）について測定を行う。これにより、原稿画像１６（１）の特性を示す第１特性データ４２（１）が得られる（ステップＳ１９Ａ）。この第１特性データ４２（１）は、測定装置４０から条件修正部１２４に入力された後、第１特性データ記憶部１２８に記憶される。
【０１７９】
条件修正部１２４は、第１特性データ４２（１）が第１特性データ記憶部１２８に記憶された場合、第１特性データ４２（１）に含まれる評価項目と、評価項目情報記憶部１２７に記憶されている評価項目とを比較して、評価項目情報記憶部１２７内の評価項目の全てに対応する第１特性データ４２を取得したか否かを判定する（ステップＳ１９Ｂ）。条件修正部１２４は、未取得であると判定した場合、初期の製版条件２５及び印刷条件２７の修正を行うか否かの決定を行わず（ステップＳ１９ＢでＮＯ）、新たな第１特性データ４２が第１特性データ記憶部１２８に記憶されるまで待機する（ステップＳ１９Ｃ）。
【０１８０】
次いで、任意のタイミングで原稿画像１６（２）の画像データがフレキソ製版装置２０に入力されると（ステップＳ１６Ａ）、前述のステップＳ１７ＡからステップＳ１９Ａまでの処理が繰り返し実行され、原稿画像１６（２）の特性を示す第１特性データ４２（２）が第１特性データ記憶部１２８に記憶される。
【０１８１】
条件修正部１２４は、第１特性データ４２（２）が第１特性データ記憶部１２８に記憶された場合、第１特性データ４２（１），（２）に含まれる評価項目と、評価項目情報記憶部１２７に記憶されている評価項目とを比較して、評価項目情報記憶部１２７内の評価項目の全てに対応する第１特性データ４２を取得したか否かを再度判定する（ステップＳ１９Ｂ）。条件修正部１２４は、依然として未取得であると判定した場合、初期の製版条件２５及び印刷条件２７の修正を行うか否かの決定を行わず、新たな第１特性データ４２が第１特性データ記憶部１２８に記憶されるまで再度待機する（ステップＳ１９ＢでＮＯ、ステップＳ１９Ｃ）。
【０１８２】
以下、条件修正部１２４が評価項目情報記憶部１２７内の評価項目の全てに対応する第１特性データ４２を取得したと判定するまで、前述のステップＳ１９Ｃ、及びステップＳ１６ＡからステップＳ１９Ｂまでの処理が繰り返し実行される。
【０１８３】
条件修正部１２４は、評価項目情報記憶部１２７内の評価項目の全てに対応する第１特性データ４２、すなわち、目標値設定部１２２にて設定された評価項目ごとの目標値Ｐ１の全てに対応する第１特性データ４２を取得した場合、初期の製版条件２５及び印刷条件２７の修正を行うか否かの決定を行う（ステップＳ１９ＢでＹＥＳ）。
【０１８４】
これ以降の処理は、上記実施形態で説明したステップＳ２０からステップＳ２４までの処理と基本的に同じであるので、ここでは具体的な説明は省略する。
【０１８５】
［別実施形態の効果］
以上のように別実施形態の印刷システムでは、目標値設定部１２２にて設定された第１特性データ４２の目標値Ｐ１の全てに対応する第１特性データ４２を取得した場合、製版条件２５及び印刷条件２７を修正するか否かを決定するため、前述の主要な評価項目あるいは顧客の要望に応じた評価項目を全て含む第１特性データ４２に基づき、製版条件２５及び印刷条件２７の修正を行うか否かを決定することができる。また、上実施形態で説明した効果と同様の効果が得られる。
【０１８６】
［別実施形態の変形例］
上記別実施形態では、条件修正部１２４が評価項目情報記憶部１２７内の評価項目の全て（目標値Ｐ１の全て）に対応する第１特性データ４２を取得するまで、新たな原稿画像１６に対応する第１特性データ４２の第１特性データ記憶部１２８への記憶が繰り返し実行される。このため、同一の評価項目に対応する第１特性データ４２が第１特性データ記憶部１２８内に複数記憶される場合がある。
【０１８７】
図２１（Ａ）及び図２１（Ｂ）は、同一の評価項目に対応する第１特性データ４２が第１特性データ記憶部１２８内に複数記憶された場合の条件修正部１２４の処理を説明するための説明図である。図２１（Ａ）に示すように、条件修正部１２４は、例えば評価項目「最大濃度」を含む第１特性データ４２（１），（２）が第１特性データ記憶部１２８内に記憶された場合、第１特性データ４２（１），（２）の平均値である第１特性データ平均値４２（Ａ）を求める。この場合に条件修正部１２４は、第１特性データ平均値４２（Ａ）に含まれる評価項目と、評価項目情報記憶部１２７に記憶されている評価項目とを比較する。
【０１８８】
このように条件修正部１２４は、同一の評価項目に対応する第１特性データ４２が第１特性データ記憶部１２８内に複数記憶された場合、これら第１特性データ４２の平均値である第１特性データ平均値４２（Ａ）を求める。そして、条件修正部１２４は、第１特性データ平均値４２（Ａ）を評価項目情報記憶部１２７に記憶されている評価項目との比較に用いる。なお、同一の評価項目が複数種類ある場合には、評価項目の種類ごとに第１特性データ平均値４２（Ａ）を求めればよい。これにより、同一の評価項目に対応する第１特性データ４２が複数ある場合には、これらの平均値に基づき、製版条件２５及び印刷条件２７を修正するか否かを決定することができる。
【０１８９】
また、同一の評価項目に対応する第１特性データ４２の平均値を求める代わりに、時間的に新しい第１特性データ４２の重みを増加させた第１特性データ４２の重み付け平均値を求めてもよい。すなわち、条件修正部１２４は、同一の評価項目に対応する第１特性データ４２が第１特性データ記憶部１２８内に複数記憶された場合、時間的に新しい第１特性データ４２ほど重み係数を高く設定して、各第１特性データ４２の重み付け平均を行う。これにより、時間的に新しい第１特性データ４２の重みを高くした第１特性データ４２の重み付け平均値に基づき、製版条件２５及び印刷条件２７を修正するか否かを決定することができる。
【０１９０】
［その他］
上記実施形態の評価領域検出部４５（図１２参照）は、印刷システム１０に入力される原稿画像１６の画像データを解析して各評価領域１８の検出を行っているが、例えば、印刷物１４に印刷された原稿画像１６を測定装置４０が読み取って得られた読取結果を解析して各評価領域１８の検出を行ってもよい。なお、上記の別実施形態についても同様である。
【０１９１】
上記実施形態では、製版条件２５の例を図４に示し、印刷条件２７の例を図８に示しているが、製版条件２５及び印刷条件２７の個々の条件は図４及び図８に例示されているものに限定されず、公知の他の条件を含んでいてもよい。また、画質特性データ９８及び色特性データ９９の例を図１１に示したが、画質特性データ９８及び色特性データ９９の項目は図１１に例示されているものに限定されず、公知の他の項目を含んでいてもよい。なお、上記の別実施形態についても同様である。
【０１９２】
上記実施形態では、モデル構築システム９０において公知のモデル化手法によるモデル化を行うことでフレキソ印刷特性モデル９２を生成しているが、製版条件２５及び印刷条件２７と第２特性データ９７とを対応付けてなるフレキソ印刷特性モデル９２を生成可能であればその方法はモデル化に限定されるものではない。なお、上記の別実施形態についても同様である。
【０１９３】
上記実施形態では、印刷システム１０がフレキソ製版装置２０とフレキソ印刷装置３０と測定装置４０と管理装置５０との５つの異なる装置により構成されているが、これら５つの異なる装置の少なくとも２つが一体化していてもよく、例えば、管理装置５０が他の装置と一体化していてもよい。また、前述の評価領域検出部４５（図１２参照）が管理装置５０に設けられていてもよい。なお、上記の別実施形態についても同様である。
【０１９４】
上記実施形態では、１つの管理装置５０がモデル取得部５２と記憶部５３と目標値設定部５４と条件決定部５５と条件修正部５６とを有している場合について説明したが、これら各部を複数の管理装置５０に分散して設けていてもよい。なお、上記の別実施形態についても同様である。
【０１９５】
上記実施形態では、初期の製版条件及び印刷条件に従って印刷された１つの原稿画像を測定し、この測定で得られた第１特性データと目標値とを用いて、初期の製版条件及び印刷条件の修正を行うか否かの決定、並びに各条件の修正を行っている。これに対して、例えば、初期の製版条件及び印刷条件に従って複数の原稿画像（同一あるいは非同一の原稿画像）を印刷し、各印刷物をそれぞれ測定して得られた複数の第１特性データと目標値とを総合的に判断して、初期の製版条件及び印刷条件の修正を行うか否かの決定、並びに各条件の修正を行ってもよい。なお、上記の別実施形態についても同様である。
【０１９６】
更に、本発明は上述した実施の形態に限定されず、本発明の精神を逸脱しない範囲で種々の変形が可能であることは言うまでもない。
【符号の説明】
【０１９７】
１０…印刷システム，１２…フレキソ印刷版，１２Ａ…フレキソ印刷版，１４…印刷物，１４Ａ…印刷物，１６…原稿画像，２０…フレキソ製版装置，２０Ａ…フレキソ製版装置，２５…製版条件，２７…印刷条件，３０…フレキソ印刷装置，３０Ａ…フレキソ印刷装置，４０…測定装置，４０Ａ…測定装置，４２…第１特性データ，４５…評価領域検出部，５０…管理装置，５２…モデル取得部，５３…記憶部，５５…条件決定部，５６…条件修正部，９０…モデル構築システム，９３…モデル構築部，９５…解析チャート，９７…第２特性データ，１２０…管理装置，１２２…目標値設定部，１２３…条件決定部，１２４…条件修正部
【図１】
0006310877.tif 000002
【図２】
0006310877.tif 000003
【図３】
0006310877.tif 000004
【図４】
0006310877.tif 000005
【図５】
0006310877.tif 000006
【図６】
0006310877.tif 000007
【図７】
0006310877.tif 000008
【図８】
0006310877.tif 000009
【図９】
0006310877.tif 000010
【図１０】
0006310877.tif 000011
【図１１】
0006310877.tif 000012
【図１２】
0006310877.tif 000013
【図１３】
0006310877.tif 000014
【図１４】
0006310877.tif 000015
【図１５】
0006310877.tif 000016
【図１６】
0006310877.tif 000017
【図１７】
0006310877.tif 000018
【図１８】
0006310877.tif 000019
【図１９】
0006310877.tif 000020
【図２０】
0006310877.tif 000021
【図２１】
0006310877.tif 000022